(57)【要約】【課題】固定具の紛失を防止することが可能な遊技機を提供する。【解決手段】遊技機が、ベース部材と、ベース部材に固定されるブラケット部材と、ブラケット部材をベース部材に対して固定する固定具とを備えており、ブラケット部材は、固定具が挿通される挿通穴部５６２を有し、ベース部材は、挿通穴部５６２と位置整合して形成され、挿通穴部５６２に挿通された固定具が挿通される固定穴部を有し、挿通穴部５６２の内周部に、固定具が挿通穴部５６２に挿通された状態で当該固定具における係合片部同士の間隙部に入り込んで係合片部に係止することが可能なリブ５６３が形成される。【選択図】図４６
2020028496.tif 000002
【特許請求の範囲】
【請求項１】
ベース部材と、
前記ベース部材に固定される固定部品と、
前記固定部品を前記ベース部材に対して固定する固定具とを備え、
前記固定部品は、前記固定具が挿通される挿通穴部を有し、
前記ベース部材は、前記挿通穴部と位置整合して形成され、前記挿通穴部に挿通された前記固定具が係合可能な固定穴部を有し、
前記固定具は、
前記挿通穴部と前記固定穴部とに挿通されて弾性変形により前記固定穴部と係合可能な係合部材と、
前記係合部材と連結され、前記係合部材に対して、前記係合部材を弾性変形させて前記固定穴部と係合させることが可能な係合操作位置と、非係合操作位置とに相対移動可能な変位部材とを有し、
前記係合部材は、前記係合操作位置に相対移動した前記変位部材に押圧されて弾性変形可能な複数の係止片部と、前記複数の係止片部の間に形成される複数の間隙部とを有し、
前記挿通穴部の内周部に、前記係合部材が前記挿通穴部に挿通された状態で前記間隙部に入り込んで前記係止片部に係止することが可能なリブが形成されることを特徴とする遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の本体筐体（本体部材）と、本体筐体の前面開口部を開閉可能な前扉（開閉部材）とを備えて構成されている。また、前扉には、電飾装置やスピーカー等の演出装置と、所定の演出画像を表示可能な画像表示装置と、演出装置および画像表示装置等の制御を行う副制御装置とが取り付けられている。リールユニットや主制御装置等を本体筐体に対して固定する際、ナイラッチ（登録商標）やニフラッチ（登録商標）等とも称される樹脂製の固定具（例えば、特許文献１を参照）を用いる場合がある。
【先行技術文献】
【特許文献】
【０００３】
【特許文献１】特開２０１１−２１７９１７号公報
【発明の概要】
【発明が解決しようとする課題】
【０００４】
上述のような固定具を用いる際、リールユニットや主制御装置等に設けられた穴部に仮止めした状態の固定具が抜け落ちて、固定具を紛失する可能性があった。
【０００５】
本発明は、このような課題に鑑みてなされたものであり、固定具の紛失を防止することが可能な遊技機を提供することを目的とする。
【課題を解決するための手段】
【０００６】
このような目的達成のため、本発明に係る遊技機（例えば、実施形態におけるスロットマシン１）は、ベース部材（例えば、実施形態における第１ベース部材５１０）と、前記ベース部材に固定される固定部品（例えば、実施形態におけるブラケット部材５５０）と、前記固定部品を前記ベース部材に対して固定する固定具（例えば、実施形態におけるブラケット固定具５８０）とを備え、前記固定部品は、前記固定具が挿通される挿通穴部を有し、前記ベース部材は、前記挿通穴部と位置整合して形成され、前記挿通穴部に挿通された前記固定具が係合可能な固定穴部を有し、前記固定具は、前記挿通穴部と前記固定穴部とに挿通されて弾性変形により前記固定穴部と係合可能な係合部材と、前記係合部材と連結され、前記係合部材に対して、前記係合部材を弾性変形させて前記固定穴部と係合させることが可能な係合操作位置と、非係合操作位置とに相対移動可能な変位部材（例えば、実施形態における操作部材５９１）とを有し、前記係合部材は、前記係合操作位置に相対移動した前記変位部材に押圧されて弾性変形可能な複数の係止片部と、前記複数の係止片部の間に形成される複数の間隙部とを有し、前記挿通穴部の内周部に、前記係合部材が前記挿通穴部に挿通された状態で前記複数の間隙部に入り込んで前記係止片部に係止することが可能なリブが形成される。
【発明の効果】
【０００７】
本発明によれば、固定具の紛失を防止することができる。
【図面の簡単な説明】
【０００８】
【図１】スロットマシンの正面図である。
【図２】スロットマシンの前扉を後方から見た図である。
【図３】スロットマシンの内部構造を示す正面図である。
【図４】スロットマシンの内部構造を示す側断面図である。
【図５】リールベースの前部を示す拡大正面図である。
【図６】リールベースおよびリールユニットを後方から見た斜視図である。
【図７】図６中の円Ａで囲まれた部分を示す拡大図である。
【図８】リールユニットを前方から見た斜視図である。
【図９】リールユニットの分解斜視図である。
【図１０】リールケースの拡大斜視図である。
【図１１】リールケースの正面図である。
【図１２】リールケースを前方から見た斜視図である。
【図１３】リールケースを後方から見た斜視図である。
【図１４】リールケースにおける係合突起部の斜視図である。
【図１５】リールケースにおける係合突起部の側面図である。
【図１６】リールモジュールを前方から見た斜視図である。
【図１７】リールモジュールを後方から見た斜視図である。
【図１８】リールモジュールの側面図である。
【図１９】リールモジュールを前方から見た分解斜視図である。
【図２０】リールモジュールを後方から見た分解斜視図である。
【図２１】（Ａ）はリールガードの斜視図であり、（Ｂ）はリールガードの側面図である。
【図２２】リールモジュールの前上部を前方から見た斜視図である。
【図２３】リールモジュールの前上部を後方から見た斜視図である。
【図２４】リールブラケットの前上部を前方から見た斜視図である。
【図２５】リールブラケットの前上部を後方から見た斜視図である。
【図２６】リールモジュールの後上部を前方から見た斜視図である。
【図２７】リールモジュールの後上部を後方から見た斜視図である。
【図２８】リールブラケットの後上部を前方から見た斜視図である。
【図２９】リールブラケットの後上部を後方から見た斜視図である。
【図３０】リールモジュールがリールケースから取り外された状態を示す拡大側断面図である。
【図３１】リールモジュールがリールケースに取り付けられた状態を示す拡大側断面図である。
【図３２】主制御装置の分解斜視図である。
【図３３】主基板ケースの設定キー収容部を示す拡大斜視図である。
【図３４】設定キー収容部の開閉カバー部材が開いた状態を示す拡大斜視図である。
【図３５】設定キー収容部から開閉カバー部材が取り外された状態を示す拡大斜視図である。
【図３６】（Ａ）は開閉カバー部材の正面図であり、（Ｂ）は開閉カバー部材を下側から見た図である。
【図３７】（Ａ）は開閉カバー部材の背面図であり、（Ｂ）は開閉カバー部材の側面図である。
【図３８】基板ケース取付機構のブラケット部材が主基板ケースを保持してケース保持位置に揺動した状態を示す斜視図である。
【図３９】ブラケット部材が主基板ケースを保持してケース揺動位置に揺動した状態を示す斜視図である。
【図４０】（Ａ）は主基板ケースが基板ケース取付機構に取り付けられた状態を示す側面図であり、（Ｂ）は主基板ケースが基板ケース取付機構に取り付けられた状態を示す正面図である。
【図４１】主基板ケースが基板ケース取付機構から取り外された状態を示す斜視図である。
【図４２】（Ａ）は基板ケース取付機構の第１ベース部材の側面図であり、（Ｂ）は第１ベース部材の正面図である。
【図４３】第１ベース部材が筐体に取り付けられた状態を示す側面図である。
【図４４】（Ａ）は基板ケース取付機構の第２ベース部材の正面図であり、（Ｂ）は第２ベース部材の側面図である。
【図４５】（Ａ）はブラケット部材の側面図であり、（Ｂ）はブラケット部材の正面図である。
【図４６】（Ａ）はブラケット部材におけるブラケット側固定部の側面図であり、（Ｂ）はブラケット側固定部の断面図である。
【図４７】（Ａ）は基板ケース取付機構のベースカバー部材の正面図であり、（Ｂ）はベースカバー部材の側面図である。
【図４８】ブラケット部材にブラケット固定具が取り付けられた状態を示す側面図である。
【図４９】図４８中のXLIX−XLIXに沿った断面図である。
【図５０】ブラケット部材のブラケット側固定部と第１ベース部材のベース側固定部とが結合された状態を示す断面図である。
【図５１】（Ａ）はブラケット固定具の底面図であり、（Ｂ）はブラケット固定具の側面図である。
【図５２】画像表示装置が保持位置に揺動した状態を示す拡大図である。
【図５３】画像表示装置が揺動位置に揺動した状態を示す斜視図である。
【図５４】画像表示装置の右上部において右支持固定部材が取り付けられた状態を示す拡大図である。
【図５５】画像表示装置の右上部において右支持固定部材が取り外された状態を示す拡大図である。
【図５６】画像表示装置の左上部において左支持固定部材が取り付けられた状態を示す拡大図である。
【図５７】画像表示装置の左上部において左支持固定部材が取り外された状態を示す拡大図である。
【図５８】画像表示装置の右下部を示す拡大図である。
【図５９】画像表示装置の左下部を示す拡大図である。
【図６０】画像表示装置が支持フレームに支持された状態を示す斜視図である。
【図６１】支持フレームの右下部を示す拡大斜視図である。
【図６２】支持フレームの左下部を示す拡大斜視図である。
【図６３】右支持固定部材の斜視図である。
【図６４】左支持固定部材の斜視図である。
【図６５】前扉の分解斜視図である。
【図６６】画像表示装置を一時的に左方にずらした状態を示す拡大図である。
【図６７】ＢＥＴスイッチユニットを上方から見た斜視図である。
【図６８】ＢＥＴスイッチユニットを下方から見た斜視図である。
【図６９】ＢＥＴスイッチユニットの上側部分を上方から見た分解斜視図である。
【図７０】ＢＥＴスイッチユニットの下側部分を上方から見た分解斜視図である。
【図７１】ＢＥＴスイッチユニットの下側部分を下方から見た分解斜視図である。
【図７２】ＢＥＴスイッチユニットの側断面図である。
【図７３】（Ａ）は第１操作部材の底面図であり、（Ｂ）は第１操作部材の側面である。
【図７４】ボタン収容部材に接点ユニット部が取り付けられた状態を示す底面図である。
【図７５】図７４に示すボタン収容部材に対してさらに照光ランプ基板が取り付けられた状態を示す底面図である。
【図７６】図７５に示すボタン収容部材に対してさらにボタンカバー部材および操作検出センサが取り付けられた状態を示す底面図である。
【図７７】図７６に示すボタン収容部材に対してさらに補助カバー部材が取り付けられた状態を示す底面図である。
【発明を実施するための形態】
【０００９】
以下、本発明の実施形態について図面を参照して説明する。まず、本発明に係る遊技機の一例であるスロットマシンの基本的な構成について、図１〜図３を参照して説明する。なお、以下の説明では、図１において各矢印で示す方向をそれぞれ、上下方向、前後方向、左右方向として説明する。
【００１０】
＜スロットマシンの外部構成＞
本実施形態に係るスロットマシン１は、図１〜図３に示すように、前面（前方）が開口した箱状の筐体５と、筐体５の前面開口部に開閉可能に取り付けられた前扉２とを備えている。前扉２は、正面視において、筐体５の左側板５ａの前部に配設されたヒンジ機構６ａ〜６ｃを用いて筐体５の前面開口部に対し横開き開閉可能に取り付けられている。
【００１１】
前扉２の上部から中間部に亘る部分には、その後面側に配設された画像表示装置６００の表示画面６１１が前方を臨むように配置されている。画像表示装置６００の下側には、筐体５内に横並びに配設された３個のリール１０２ａ，１０２ｂ，１０２ｃの表面が臨むリール窓Ｗが設けられている。すなわち、画像表示装置６００におけるリール窓Ｗを除いた部分に、表示画面６１１が形成される。前扉２の上部における表示画面６１１の左右上方には、左右の上部スピーカーユニット１２ａ，１２ｂが設けられている。前扉２の上部における表示画面６１１の上方には、所定の装飾が施された装飾部材１３が設けられている。前扉２の上部における表示画面６１１の左右側方には、左右の上サイドランプ１４ａ，１４ｂが設けられている。前扉２の中間部における表示画面６１１の左右側方には、左右の下サイドランプ１５ａ，１５ｂと、左右のサイドランプ装飾部材１６ａ，１６ｂが設けられている。前扉２の中間部における表示画面６１１の下方には、操作パネル２１が設けられている。
【００１２】
操作パネル２１の上面側には、遊技メダル（遊技媒体）を投入するためのメダル投入口２２と、クレジットされた範囲内で遊技メダルをベットするためのＢＥＴスイッチユニット７００と、演出に関する操作を行うための演出スイッチユニット２４と、ＬＥＤランプ等により構成された表示ランプユニット４６が設けられている。操作パネル２１の前面側には、全リール１０２ａ〜１０２ｃを回転開始させる際に操作されるスタートレバー（スタートスイッチ）２５と、各リール１０２ａ，１０２ｂ，１０２ｃの回転を個別に停止させるための３個のストップスイッチ２６ａ，２６ｂ，２６ｃ（図中左側のストップスイッチ２６ａは左側のリール１０２ａに対応し、中央のストップスイッチ２６ｂは中央のリール１０２ｂに対応し、右側のストップスイッチ２６ｃは右側のリール１０２ｃに対応する）が設けられている。また、操作パネル２１の右側には、前扉２を開閉させるためのシリンダー錠２８が設けられている。
【００１３】
メダル投入口２２から延びるメダル通路は、投入された遊技メダルが有効に受け入れられる場合に当該遊技メダルが通過する受入通路（後述のホッパー５１に通ずる）と、投入された遊技メダルが受け入れられない場合に当該遊技メダルが通過する返却通路（後述の遊技メダル払出口４１に通ずる）とに分岐しており、その分岐部にはメダルセレクタ３５（図２を参照）が設けられている。メダルセレクタ３５は、投入された遊技メダルが有効に受け入れられる期間においては、メダル投入口２２に投入された遊技メダルを受入通路に導き、それ以外の期間においては、メダル投入口２２に投入された遊技メダルを返却通路に導くように、受入通路と返却通路を選択的に、一方を開状態に他方を閉状態にできるように構成されている。
【００１４】
リール窓Ｗは、図１に示すように、３個のリール１０２ａ〜１０２ｃが全て停止した際に、リール毎に３個の図柄、合計９個の図柄が遊技者から視認可能に表示されるように構成されている。リール１０２ａ〜１０２ｃの各中段の図柄表示領域を水平（横一直線）に結ぶ入賞ライン２９は、規定数の遊技メダルがベットされることにより有効化される入賞ラインであり、有効化された入賞ライン２９上に停止表示された図柄組合せにより遊技役の成立の有無が判定されるように構成されている。以下、有効化された入賞ライン２９のことを、適宜「有効ライン２９」と称する。
【００１５】
表示ランプユニット４６は、詳細な図示を省略するが、例えば、ＢＥＴ数表示ランプ（図示せず）、投入可能表示（ＩＮＳＥＲＴ）ランプ（図示せず）、遊技開始表示（ＳＴＡＲＴ）ランプ（図示せず）、再遊技表示（ＲＥＰＬＡＹ）ランプ（図示せず）、状態表示（ＧＡＭＥ  ＯＶＥＲ）ランプ（図示せず）、貯留枚数表示（ＣＲＥＤＩＴ）ランプ（図示せず）、および払出数表示（ＰＡＹＯＵＴ）ランプ（図示せず）を備えている。表示ランプユニット４６を構成する各表示ランプは、後述の主制御装置３００により制御されるように構成されている。
【００１６】
ＢＥＴ数表示ランプは、ベットされた遊技メダルの枚数を表示するもので、ベットされた遊技メダルが、１枚の場合に点灯される１‐ＢＥＴ表示ランプ（図示せず）と、２枚の場合に点灯される２‐ＢＥＴ表示ランプ（図示せず）と、３枚の場合に点灯される３‐ＢＥＴ表示ランプ（図示せず）とから構成されている。投入可能表示ランプは、遊技メダルを投入することができる状況下で点灯されるものである。遊技開始表示ランプは、スタートレバー２５を操作して遊技を開始させることができる状況下で点灯されるものである。
【００１７】
再遊技表示ランプは、任意の遊技において再遊技役が成立し、自動ベット処理により遊技メダルが自動的にベットされた際に点灯されるものである。なお、再遊技役とは、遊技メダルの払出しはないが、遊技者が保有する遊技メダルの数を減らすことなく（新たに遊技媒体を投入することなく）次の遊技を行うことが許可される遊技役である。自動ベット処理とは、遊技者が保有する遊技メダルの数を減らすことなく、前回の遊技におけるベット数と同数の遊技メダルがベットされた状態を設定する処理である。状態表示ランプは、ベットされている遊技メダル、および／または貯留されている遊技メダルを精算するときに点灯されるものである。貯留枚数表示ランプは、貯留（クレジット）された遊技メダルの枚数を７セグメント表示するものである。
【００１８】
払出数表示ランプは、小役が成立した際に払い出される遊技メダルの枚数を７セグメント表示するものである。なお、小役とは、成立時に所定枚数の遊技メダルが払い出されるように構成された遊技役である。払出数表示ランプは、スロットマシン１に何らかの異常（エラー）が発生した際に、そのエラーの種類を示す文字（アルファベット）や数字を表示するようにも構成されている。払出数表示ランプは、各ストップスイッチ２６ａ〜２６ｃの操作順（押し順）を示すナビ番号（記号や数字）を表示する機能も有している。
【００１９】
前扉２の下部前面側には、透明な下パネルカバー３１が取り付けられている。下パネルカバー３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。前扉２の下部における下パネルカバー３１の右下方には、下部スピーカーユニット３２が設けられている。前扉２の下部における下パネルカバー３１の左下方には、ウーファーユニット３３が設けられている。
【００２０】
前扉２の下端部には、受け皿アッセンブリ４０が設けられている。受け皿アッセンブリ４０には、遊技メダルを払い出すための遊技メダル払出口４１が開設されているとともに、遊技メダル払出口４１に臨むようにして遊技メダルを貯留するための遊技メダル貯留皿４２が設けられている。なお、遊技メダル貯留皿４２には、灰皿（図示せず）が設けられるようにしてもよい。
【００２１】
＜スロットマシンの内部構成＞
図３に示すように、筐体５内の下部（底板５ｄ上）には、遊技の結果、所定の入賞態様が構成された場合に獲得される遊技メダルを払い出すメダル払出装置５０が設けられている。メダル払出装置５０は、遊技メダルを検出するためのメダル検出部（図示せず）と、投入されて有効に受け入れられた遊技メダルを物理的に収容する（貯留する）ホッパー５１とを有している。メダル払出装置５０の近傍位置には、ホッパー５１から溢れた遊技メダルを収納するための補助収納庫５３が設けられるとともに、この補助収納庫５３が満杯状態（補助収納庫５３から遊技メダルが溢れる可能性のある状態）であるか否かを検出する満杯検出部（図示せず）が設けられている。また、メダル払出装置５０の左方位置には、スロットマシン１に搭載された種々の装置に電力を供給する電源装置５５が設けられている。
【００２２】
筐体５内の中央部には、左右の側板５ａ，５ｂに架け渡されるようにリールベース６０が設けられており、このリールベース６０上にリールユニット１００が載置されている。リールユニット１００は、詳細は後述するが、上述の３個のリール１０２ａ，１０２ｂ，１０２ｃと、これらのリール１０２ａ〜１０２ｃをそれぞれ回転させる３個のリールモータ（図３では図示せず）とを有して構成されている。リール１０２ａ〜１０２ｃはそれぞれ、透光性を有する部材により構成されており、その外周面には、複数種類の図柄が表示された、透光性を有するリールテープが貼り付けられている。また、リール１０２ａ〜１０２ｃの内面側にはそれぞれバックランプ（図示せず）が配設されており、これらのバックランプを点灯させることにより、リール窓Ｗ内に臨む各リール１０２ａ，１０２ｂ，１０２ｃの領域を内面側から全体的に照明したり、停止表示された所定の図柄組合せ（例えば、有効ライン２９上や、有効ライン２９上とは異なる入賞ライン上に並んだ遊技役の対応図柄等）を目立たせるように各リール１０２ａ，１０２ｂ，１０２ｃの一部領域のみを照明したりするように構成されている。
【００２３】
筐体５内の上部（右側板５ｂの上部内面）には、遊技の進行に係る主たる制御（リール１０２ａ〜１０２ｃの駆動制御や役決定処理等を含む）を行う主制御装置３００が設けられている。なお、遊技状況に応じて遊技の興趣向上等を目的とする種々の演出制御（画像表示装置６００による演出画像表示制御や、左右の上部スピーカーユニット１２ａ，１２ｂ、下部スピーカーユニット３２、ウーファーユニット３３等による音声発生制御等）を行う副制御装置８０は前扉２の後面側に設けられている。主制御装置３００と副制御装置８０はケーブルハーネスを用いて電気通信可能に接続されており、これら装置間の情報伝達は、主制御装置３００から副制御装置８０への一方向のみ行うことが可能となっている。
【００２４】
＜遊技を行うための基本操作＞
スロットマシン１で遊技を行うには、まず実際にメダル投入口２２に遊技メダルを投入することによりベットするか、ＢＥＴスイッチユニット７００に設けられた１‐ＢＥＴボタン部７２１またはＭＡＸ‐ＢＥＴボタン部７１１（図６７を参照）の何れかを操作してクレジットの範囲内で規定数の遊技メダルをベットすることにより、複数の入賞ラインのうち入賞ライン２９を有効化する。本実施形態では、３枚の遊技メダルがベットされると入賞ライン２９が有効化される構成であるが、規定数を適宜変更したり、遊技メダルのベット数に応じて有効化される入賞ラインを変更するようにしてもよい。
【００２５】
次に、遊技者がスタートレバー２５を操作すると、ベット数が確定する（ベットされた遊技メダルが遊技の用に供される）とともに、役決定処理が行われ、その後、最小遊技時間（１つの遊技において全リールが回転開始してから、次の遊技において全リールを回転開始させるまでに最低限確保しなければならないとされる時間（例えば、４.１秒間）のこと）が経過したことを確認した後、各リール１０２ａ〜１０２ｃが回転を開始し、リール１０２ａ〜１０２ｃの外周表面に表示された複数種類の図柄がリール窓Ｗ内を上下に（通常、上から下に）移動表示される。そして、リール１０２ａ〜１０２ｃの回転が所定の速度に達して定速回転となり、かつ、全てのリールのインデックスを検知すると各ストップスイッチ２６ａ〜２６ｃが有効化され（ストップスイッチの操作が有効に受付け可能とされ）、遊技者が左側のストップスイッチ２６ａを操作すると左側のリール１０２ａの回転が停止し、中央のストップスイッチ２６ｂを操作すると中央のリール１０２ｂの回転が停止し、右側のストップスイッチ２６ｃを操作すると右側のリール１０２ｃの回転が停止するように構成されている。
【００２６】
ここで、有効ライン２９上に停止表示された図柄組合せが予め定めた入賞態様（遊技メダルを獲得することができる遊技役の対応図柄）となっている場合には、各入賞態様に対応した枚数の遊技メダルがメダル払出装置５０により払い出されるか、またはクレジットとして加算される。
【００２７】
＜リールベースの構成＞
次に、本実施形態に係るリールベース６０の概要構成について図４〜図７を参照して説明する。リールベース６０は、図４および図６に示すように、金属材料を用いて板状に形成される。リールベース６０の上に、遊技を行うためのリールユニット１００（リールケース２０１）が前方を向いて載置される。リールベース６０の前部に、前側固定部６１が設けられる。前側固定部６１は、前部が下方に折れ曲がった板状に形成され、結合ネジ６２を用いてリールベース６０の前部に結合される。リールユニット１００がリールベース６０の上に載置された状態で、前側固定部６１の前部に、リールユニット１００（リールケース２０１）の前下部に形成された下側フランジ部２１６を当接させることができるようになっている。リールユニット１００の下側フランジ部２１６は、図５に示すように、固定ネジ６３を用いて前側固定部６１の前部に固定される。これにより、リールユニット１００をリールベース６０上に載置された状態で固定することができる。
【００２８】
前側固定部６１の中間部に、結合ネジ６２が挿通されるネジ挿通穴部（図示せず）が形成される。ネジ挿通穴部は、前後方向に延びる長穴状に形成されており、リールベース６０に結合される前側固定部６１の位置を前後方向に変位させることができる。前側固定部６１の位置を前後方向に変位させて、前側固定部６１の前部に当接するリールユニット１００の下側フランジ部２１６の位置を変えることで、リールベース６０の上に載置されるリールユニット１００の配置を前後方向で変えることが可能である。
【００２９】
図６および図７に示すように、リールベース６０の左右後側に、後側固定部６５が形成される。後側固定部６５は、リールベース６０から上方に延びる板状に形成される。後側固定部６５の中央部に、係合穴部６６が開口形成される。係合穴部６６は、リールユニット１００（リールモジュール取付部材３０１）の後下部に形成された係合突起部２４１が係合可能な矩形穴状に形成される。リールユニット１００の係合突起部２４１と後側固定部６５の係合穴部６６とが係合した状態で、後側固定部６５がリールユニット１００の上方への移動を規制するように構成される。
【００３０】
＜リールユニットの構成＞
次に、本実施形態に係るリールユニット１００の構成について図８〜図１５を参照して説明する。リールユニット１００は、図８、図９、および図６に示すように、第１〜第３リールモジュール１０１ａ〜１０１ｃと、リールケース２０１と、リール中継基板２５１と、リール基板カバー２５６と、ランプ中継基板２６１と、ランプ基板カバー２６６とを有して構成される。なお、図９において、第１リールモジュール１０１ａおよび第２リールモジュール１０１ｂの図示を省略している。
【００３１】
リールケース２０１は、図１１〜図１３に示すように、樹脂材料を用いて、射出成型により前方および右方が開口した箱状に形成され、第１〜第３リールモジュール１０１ａ〜１０１ｃを左右に並べて保持するようになっている。なお、第１リールモジュール１０１ａがリールケース２０１の左側に収容保持され、第２リールモジュール１０１ｂがリールケース２０１の中央に収容保持され、第３リールモジュール１０１ｃがリールケース２０１の右側に収容保持される。なお、リールケース２０１が、前方および右方が開口した箱状に形成されることで、２つのリールケース２０１（単体）を互いに向き合わせた状態で重ねることが可能になる。これにより、組み立てる前の状態の複数のリールケース２０１を、省スペースで運搬したり、倉庫等に保管したりすることが可能になる。
【００３２】
図１１および図１２に示すように、リールケース２０１の前部上側に、上側フランジ部２１１が形成される。上側フランジ部２１１に、上側固定穴部２１２が左右に３つ並んで形成される。上側固定穴部２１２は、丸穴状に形成される。上側フランジ部２１１の左側に形成された上側固定穴部２１２に、第１リールモジュール１０１ａの上部を上側フランジ部２１１に対して固定するための上側固定具１６８（図８を参照）が係合するようになっている。上側フランジ部２１１の中央側に形成された上側固定穴部２１２に、第２リールモジュール１０１ｂの上部を上側フランジ部２１１に対して固定するための上側固定具１６８（図８を参照）が係合するようになっている。上側フランジ部２１１の右側に形成された上側固定穴部２１２に、第３リールモジュール１０１ｃの上部を上側フランジ部２１１に対して固定するための上側固定具１６８（図８を参照）が係合するようになっている。
【００３３】
上側フランジ部２１１における各上側固定穴部２１２の左方近傍に、ケース前側挿通穴部２１３が形成される。ケース前側挿通穴部２１３は、矩形穴状に形成される。上側フランジ部２１１の左側に形成されたケース前側挿通穴部２１３に、第１リールモジュール１０１ａのブラケット側リール中継コネクタ１９１（図１７を参照）が挿通されるようになっている。上側フランジ部２１１の中央側に形成されたケース前側挿通穴部２１３に、第２リールモジュール１０１ｂのブラケット側リール中継コネクタ１９１（図１７を参照）が挿通されるようになっている。上側フランジ部２１１の右側に形成されたケース前側挿通穴部２１３に、第３リールモジュール１０１ｃのブラケット側リール中継コネクタ１９１（図１７を参照）が挿通されるようになっている。
【００３４】
上側フランジ部２１１における各ケース前側挿通穴部２１３の下方近傍に、ケース前側係合部２１４が形成される。ケース前側係合部２１４は、上側フランジ部２１１から前方に突出した前面視凹形の突起状に形成される。上側フランジ部２１１の左側に形成されたケース前側係合部２１４は、第１リールモジュール１０１ａのブラケット前側係合部１６４ｈ（図１７を参照）と係合するようになっている。上側フランジ部２１１の中央側に形成されたケース前側係合部２１４は、第２リールモジュール１０１ｂのブラケット前側係合部１６４ｈ（図１７を参照）と係合するようになっている。上側フランジ部２１１の右側に形成されたケース前側係合部２１４は、第３リールモジュール１０１ｃのブラケット前側係合部１６４ｈ（図１７を参照）と係合するようになっている。
【００３５】
リールケース２０１の前部下側に、下側フランジ部２１６が形成される。下側フランジ部２１６に、下側固定穴部２１７が左右に３つ並んで形成される。下側固定穴部２１７は、丸穴状に形成される。下側フランジ部２１６の左側に形成された下側固定穴部２１７に、第１リールモジュール１０１ａの下部を下側フランジ部２１６に対して固定するための下側固定具１７８（図８を参照）が係合するようになっている。下側フランジ部２１６の中央側に形成された下側固定穴部２１７に、第２リールモジュール１０１ｂの下部を下側フランジ部２１６に対して固定するための下側固定具１７８（図８を参照）が係合するようになっている。下側フランジ部２１６の右側に形成された下側固定穴部２１７に、第３リールモジュール１０１ｃの下部を下側フランジ部２１６に対して固定するための下側固定具１７８（図８を参照）が係合するようになっている。
【００３６】
下側フランジ部２１６の中央部に、前述の固定ネジ６３を挿通させることが可能なネジ挿通穴部２１８が形成される。固定ネジ６３をネジ挿通穴部２１８に挿通させて、リールベース６０の前側固定部６１に形成されたネジ穴部（図示せず）にネジ固定することで、下側フランジ部２１６がリールベース６０における前側固定部６１の前部に固定される。
【００３７】
図１１および図１２に示すように、リールケース２０１の上部内側に、上側ガイド部２２１が左右に３つ並んで形成される。上側ガイド部２２１は、前後方向に延びる溝状に形成され、各リールモジュール１０１ａ〜１０１ｃを構成するリールブラケット１５１の上部がスライド移動自在に係合する。すなわち、上側ガイド部２２１は、リールブラケット１５１の上部の形状に合わせた溝状に形成されるが、前方から後方に向かうにつれて溝幅が狭くなるようになっている。リールケース２０１の上部内側の左側に形成された上側ガイド部２２１は、（その上部がスライド移動自在に係合した）第１リールモジュール１０１ａのリールブラケット１５１をリールケース２０１の前方側から所定の第１保持位置（図８を参照）まで案内するようになっている。リールケース２０１の上部内側の中央側に形成された上側ガイド部２２１は、（その上部がスライド移動自在に係合した）第２リールモジュール１０１ｂのリールブラケット１５１をリールケース２０１の前方側から所定の第２保持位置（図８を参照）まで案内するようになっている。リールケース２０１の上部内側の右側に形成された上側ガイド部２２１は、（その上部がスライド移動自在に係合した）第３リールモジュール１０１ｃのリールブラケット１５１をリールケース２０１の前方側から所定の第３保持位置（図８を参照）まで案内するようになっている。
【００３８】
図１１に示すように、リールケース２０１の下部内側に、上側ガイド部２２１と対向するように下側ガイド部２２２が左右に３つ並んで形成される。下側ガイド部２２２は、前後方向に延びる溝状に形成され、各リールモジュール１０１ａ〜１０１ｃを構成するリールブラケット１５１の下部がスライド移動自在に係合する。すなわち、下側ガイド部２２２は、リールブラケット１５１の下部の形状に合わせた溝状に形成されるが、前方から後方に向かうにつれて溝幅が狭くなるようになっている。リールケース２０１の下部内側の左側に形成された下側ガイド部２２２は、（その下部がスライド移動自在に係合した）第１リールモジュール１０１ａのリールブラケット１５１をリールケース２０１の前方側から所定の第１保持位置まで案内するようになっている。リールケース２０１の下部内側の中央側に形成された下側ガイド部２２２は、（その下部がスライド移動自在に係合した）第２リールモジュール１０１ｂのリールブラケット１５１をリールケース２０１の前方側から所定の第２保持位置まで案内するようになっている。リールケース２０１の下部内側の右側に形成された下側ガイド部２２２は、（その下部がスライド移動自在に係合した）第３リールモジュール１０１ｃのリールブラケット１５１をリールケース２０１の前方側から所定の第３保持位置まで案内するようになっている。
【００３９】
図１１および図１２に示すように、リールケース２０１の後部内側に、ケース後側係合部２２３が左右に３つ並んで形成される。ケース後側係合部２２３は、前方に突出して上下方向に延びるリブ状に形成され、前縁部に各リールモジュール１０１ａ〜１０１ｃのブラケット後側係合部１８６（図１７を参照）と係合可能な溝部を有している。リールケース２０１の後部内側の左側に形成されたケース後側係合部２２３は、第１リールモジュール１０１ａのブラケット後側係合部１８６と係合するようになっている。リールケース２０１の後部内側の中央側に形成されたケース後側係合部２２３は、第２リールモジュール１０１ｂのブラケット後側係合部１８６と係合するようになっている。リールケース２０１の後部内側の右側に形成されたケース後側係合部２２３は、第３リールモジュール１０１ｃのブラケット後側係合部１８６と係合するようになっている。
【００４０】
リールケース２０１の後部上側に、上側補強リブ部２２４が左右に６つ並んで形成される。上側補強リブ部２２４は、リールケース２０１の内側に突出して各リール１０２ａ〜１０２ｃの上側に近接するように形成される。上側補強リブ部２２４は、リールケース２０１の後部上側と後述のランプ中継基板取付部２３６とに繋がって形成されて、リールケース２０１のねじれ等に対する強度を高めている。また、ケース後側係合部２２３も、リールケース２０１のねじれ等に対する強度を高める効果を有している。
【００４１】
図１１および図１３に示すように、リールケース２０１の後部下側に、各リール１０２ａ〜１０２ｃの下部後方に近接するように湾曲した湾曲部２２５が形成される。湾曲部２２５に、下側補強リブ部２２６が左右に６つ並んで形成される。下側補強リブ部２２６は、リールケース２０１の外側（後方）に突出して形成される。下側補強リブ部２２６は、リールケース２０１の後下部と湾曲部２２５とに繋がって形成されて、リールケース２０１のねじれ等に対する強度を高めている。
【００４２】
図１３に示すように、リールケース２０１の上面部に、リール中継基板取付部２３１が形成される。リール中継基板取付部２３１に、リール中継基板２５１（図１０を参照）と、リール基板カバー２５６（図６を参照）とが取り付けられる。リール中継基板取付部２３１の左側に、基板固定穴部２３２が形成される。基板固定穴部２３２は、ボス穴状に形成され、リール中継基板２５１をリール中継基板取付部２３１に対して固定するための固定具（図示せず）が係合するようになっている。リール中継基板取付部２３１の右側に、カバー固定穴部２３３が形成される。カバー固定穴部２３３は、ボス穴状に形成され、リール基板カバー２５６をリール中継基板取付部２３１に対して固定するためのリールカバー固定具２５７（図６を参照）が係合するようになっている。
【００４３】
リールケース２０１の後面部上側に、ランプ中継基板取付部２３６が形成される。ランプ中継基板取付部２３６に、ランプ中継基板２６１（図１０を参照）と、ランプ基板カバー２６６（図６を参照）とが取り付けられる。ランプ中継基板取付部２３６の左右に、カバー固定部２３７が形成される。カバー固定部２３７は、ボス穴状に形成され、ランプ基板カバー２６６をランプ中継基板取付部２３６に対して固定するためのランプカバー固定具２６７（図６を参照）が係合するようになっている。また、ランプ中継基板取付部２３６は、リールケース２０１の後面部上側に、各リール１０２ａ〜１０２ｃの上部後方に近接して形成される。これにより、ランプ基板カバー２６６がリールケース２０１の後端面から後方に突出しないようにすることができ、リールケース２０１の大きさを最小限に抑えることができる。
【００４４】
ランプ中継基板取付部２３６に、ケース後側挿通穴部２３８が左右に３つ並んで形成される。ケース後側挿通穴部２３８は、矩形穴状に形成される。ランプ中継基板取付部２３６の左側に形成されたケース後側挿通穴部２３８に、第１リールモジュール１０１ａのブラケット側ランプ中継コネクタ１９６（図１７を参照）が挿通されるようになっている。ランプ中継基板取付部２３６の中央側に形成されたケース後側挿通穴部２３８に、第２リールモジュール１０１ｂのブラケット側ランプ中継コネクタ１９６（図１７を参照）が挿通されるようになっている。ランプ中継基板取付部２３６の右側に形成されたケース後側挿通穴部２３８に、第３リールモジュール１０１ｃのブラケット側ランプ中継コネクタ１９６（図１７を参照）が挿通されるようになっている。
【００４５】
図１３〜図１５に示すように、リールケース２０１の後下部における左右の端部近傍に、係合突起部２４１が形成される。係合突起部２４１は、リールケース２０１の後下部から後方に突出して形成され、リールベース６０の上に載置されたリールケース２０１の後側を支持するとともに、リールベース６０の係合穴部６６と係合するようになっている。係合突起部２４１の下側に、下方を向く下面部２４２が形成される。係合突起部２４１の下面部２４２は、リールケース２０１本体の下面部（図示せず）と繋がってリールベース６０の上面と対向するようになっている。係合突起部２４１の上側に、上方を向く上面部２４３が形成される。係合突起部２４１の上面部２４３における左右の先端側（後端側）に、下面部２４２に対して略平行に前後に延びる平行面部２４４が形成される。平行面部２４４を除いた上面部２４３の他の部分は、リールケース２０１の射出成型時に設定された抜き勾配の分だけ、下面部２４２に対して傾斜している。なお、係合突起部２４１の左側面部２４６と右側面部２４７とは、互いに略平行に延びて形成される。係合突起部２４１の上面部２４３および下面部２４２は、平滑な面に限定されるものではなく、例えば、リブや溝等の凹凸を有した構成部分を含むものである。
【００４６】
係合突起部２４１の上面部２４３における左右の基端側に、突起補強リブ部２４５が形成される。突起補強リブ部２４５は、係合突起部２４１の上面部２４３から上方に突出して形成される。突起補強リブ部２４５は、リールケース２０１の湾曲部２２５と係合突起部２４１の上面部２４３とに繋がって形成されて、係合突起部２４１の曲がり等に対する強度を高めている。また、リールケース２０１の後部下側に、各リール１０２ａ〜１０２ｃの下部後方に近接するように湾曲した湾曲部２２５が形成され、リールケース２０１における湾曲部２２５の下方に、係合突起部２４１が形成されている。これにより、係合突起部２４１がリールケース２０１の後端面から後方に突出しないようにすることができ、リールケース２０１の大きさを最小限に抑えることができる。
【００４７】
リール中継基板２５１（図１０を参照）は、詳細な図示を省略するが、ナイラッチ（登録商標）やニフラッチ（登録商標）等を用いて構成された固定具（図示せず）を用いて、リールケース２０１のリール中継基板取付部２３１に取り付け固定される。リール中継基板２５１は、第１〜第３リールモジュール１０１ａ〜１０１ｃのリールモータ１２１およびリールセンサ１１６と、主制御装置３００とに電気的に接続される。図１０に示すように、リール中継基板２５１の前部に、ケース側リール中継コネクタ２５２が左右に３つ並んで配設される。ケース側リール中継コネクタ２５２は、リールケース２０１の上側フランジ部２１１に形成されたケース前側挿通穴部２１３と位置整合するように前方を向いて配置される。リール中継基板２５１の前部左側に配設されたケース側リール中継コネクタ２５２は、第１リールモジュール１０１ａのブラケット側リール中継コネクタ１９１（図１７を参照）と嵌合して電気的に接続されるようになっている。リール中継基板２５１の前部中央側に配設されたケース側リール中継コネクタ２５２は、第２リールモジュール１０１ｂのブラケット側リール中継コネクタ１９１（図１７を参照）と嵌合して電気的に接続されるようになっている。リール中継基板２５１の前部右側に配設されたケース側リール中継コネクタ２５２は、第３リールモジュール１０１ｃのブラケット側リール中継コネクタ１９１（図１７を参照）と嵌合して電気的に接続されるようになっている。
【００４８】
リール基板カバー２５６は、図６に示すように、透明の樹脂材料を用いて、リール中継基板２５１を上方から覆うことが可能な箱状に形成される。リール基板カバー２５６は、ナイラッチ（登録商標）やニフラッチ（登録商標）等を用いて構成されたリールカバー固定具２５７を用いて、リール中継基板２５１を覆う状態でリール中継基板取付部２３１に取り付け固定される。
【００４９】
ランプ中継基板２６１（図１０を参照）は、詳細な図示を省略するが、基板スペーサ等を用いて構成された結合部材（図示せず）によりランプ基板カバー２６６に結合保持された状態で、リールケース２０１のランプ中継基板取付部２３６に取り付けられる。ランプ中継基板２６１は、第１〜第３リールモジュール１０１ａ〜１０１ｃのバックランプ基板１３２と、副制御装置８０とに電気的に接続される。図１０に示すように、ランプ中継基板２６１の前面（ランプ中継基板取付部２３６と対向する面）に、ケース側ランプ中継コネクタ２６２が左右に３つ並んで配設される。ケース側ランプ中継コネクタ２６２は、ランプ中継基板取付部２３６に形成されたケース後側挿通穴部２３８と位置整合するように前方を向いて配置される。ランプ中継基板２６１の前面左側に配設されたケース側ランプ中継コネクタ２６２は、第１リールモジュール１０１ａのブラケット側ランプ中継コネクタ１９６（図１７を参照）と嵌合して電気的に接続されるようになっている。ランプ中継基板２６１の前面中央側に配設されたケース側ランプ中継コネクタ２６２は、第２リールモジュール１０１ｂのブラケット側ランプ中継コネクタ１９６（図１７を参照）と嵌合して電気的に接続されるようになっている。ランプ中継基板２６１の前面右側に配設されたケース側ランプ中継コネクタ２６２は、第３リールモジュール１０１ｃのブラケット側ランプ中継コネクタ１９６（図１７を参照）と嵌合して電気的に接続されるようになっている。
【００５０】
ランプ基板カバー２６６は、図６に示すように、透明の樹脂材料を用いて、ランプ中継基板２６１を後方から覆うことが可能な箱状に形成される。ランプ基板カバー２６６は、ランプカバー固定具２６７を用いて、ランプ中継基板２６１を覆って保持する状態でランプ中継基板取付部２３６に取り付け固定される。ランプカバー固定具２６７は、前端部がカバー固定部２３７に回転自在に係合するようになっている。ランプカバー固定具２６７は、ランプカバー固定具２６７の後端部に形成されたツマミ部を回転操作することにより、カバー固定部２３７に対して係脱可能な係脱位置と、係脱位置から９０°だけ回転して、ランプ基板カバー２６６をランプ中継基板取付部２３６に固定可能な固定位置との間で回転可能に構成される。
【００５１】
＜リールモジュールの構成＞
次に、第１〜第３リールモジュール１０１ａ〜１０１ｃのうち、第３リールモジュール１０１ｃの詳細な構成について図１６〜図３１を参照して説明する。第１リールモジュール１０１ａは、第３リール１０２ｃと図柄が異なる第１リール１０２ａを用いる他は、第３リールモジュール１０１ｃと同様の構成であり、詳細な図示および説明を省略する。第２リールモジュール１０１ｂは、第３リール１０２ｃ（および第１リール１０２ａ）と図柄が異なる第２リール１０２ｂを用いる他は、第３リールモジュール１０１ｃと同様の構成であり、詳細な図示および説明を省略する。
【００５２】
第３リールモジュール１０１ｃは、図１６〜図１８に示すように、第３リール１０２ｃと、リールモータ１２１と、バックランプユニット１３１と、リールガード１４１と、リールブラケット１５１とを有して構成される。第３リール１０２ｃは、図１７に示すように、リールテープ１１１と、リールホイール１１２と、リールフレーム１１３とを有して構成される。リールテープ１１１は、細長い帯状に形成されたフィルム材の端部同士を接合させることで、外周面に複数の図柄（図示せず）が描かれた環状に形成される。リールテープ１１１は、リールテープ１１１の左側縁部がリールホイール１１２の外周面部に巻回され、リールテープ１１１の右側縁部がリールフレーム１１３の外周面部に巻回されることで、リールホイール１１２およびリールフレーム１１３により筒状に成形される。
【００５３】
リールホイール１１２は、図１７および図１８に示すように、樹脂材料を用いて略円盤状に形成される。リールホイール１１２の外周面部に、リールテープ１１１の左側縁部が貼り付けられて巻回されるようになっている。リールホイール１１２の中央に、リールモータ１２１の出力軸が連結される。リールフレーム１１３は、図１７に示すように、樹脂材料を用いて円環状に形成される。リールフレーム１１３の外周面部に、リールテープ１１１の右側縁部が貼り付けられて巻回されるようになっている。リールフレーム１１３の内周側に、リールセンサ１１６によって検出可能なセンサ検出片１１４が形成される。
【００５４】
リールモータ１２１は、ステッピングモータを用いて構成され、第３リール１０２ｃを回転駆動する。図１７および図１８に示すように、リールモータ１２１は、本体部分がモータカバー１２６に覆われた状態で、リールブラケット１５１のモータ取付部１５４に取り付け固定される。リールモータ１２１の側部に、モータコネクタ１２２が設けられる。
【００５５】
バックランプユニット１３１は、図１７および図１８に示すように、第３リール１０２ｃの内側に位置して前方を向くようにリールブラケット１５１に取り付けられ、図柄が描かれた第３リール１０２ｃの外周部（リールテープ１１１）を内側から照明可能に構成される。バックランプユニット１３１は、ＬＥＤランプ（図示せず）が配設されたバックランプ基板１３２と、バックランプ基板１３２を保持してリールブラケット１５１に取り付けられるバックランプハウス１３６とを有し、第３リール１０２ｃにおける図柄３つ分の領域を図柄１つ分の領域ごとに個別に照明することができるようになっている。
【００５６】
バックランプ基板１３２の前面には、第３リール１０２ｃにおける図柄３つ分の領域を図柄１つ分の領域ごとに個別に照明できるように、複数のＬＥＤランプ（図示せず）が配設される。バックランプ基板１３２の後面には、ランプ基板コネクタ１３４が配設される。
【００５７】
バックランプハウス１３６は、樹脂材料を用いて、上下方向に並んだ３つのランプ穴部１３７ａ〜１３７ｃを有するブロック状に形成される。バックランプハウス１３６の右側部に、後方に突出する板状の取付アーム部１３８が形成される。取付アーム部１３８は、３つのランプ穴部１３７ａ〜１３７ｃが前方を向くように、リールブラケット１５１のバックランプ取付部１５３に取り付け固定される。バックランプハウス１３６の後部にバックランプ基板１３２が受容保持され、３つのランプ穴部１３７ａ〜１３７ｃを通じて、バックランプ基板１３２の複数のＬＥＤランプ（図示せず）が前方に露出するようになっている。
【００５８】
リールガード１４１は、図１９〜図２１に示すように、樹脂材料を用いて、略Ｌ字形の板状に形成される。リールガード１４１は、リールブラケット１５１の前下部に形成されたリールガード取付部１５６に取り付けられ、リールブラケット１５１に回転可能に保持された第３リール１０２ｃの下部前方を覆うようになっている。リールガード１４１の右端部後側に、取付アーム部１４２が後方に突出して形成される。図２１（Ａ）および図２１（Ｂ）に示すように、取付アーム部１４２の左側部に、突片状の係合片部１４３が左方に突出して形成される。係合片部１４３がリールブラケット１５１の係合溝部１５７と係合した状態で、リールガード１４１がリールブラケット１５１のリールガード取付部１５６に取り付けられる。取付アーム部１４２は、基板スペーサ等を用いて構成された固定部材１４８（図１９および図２０を参照）を用いてリールガード取付部１５６の右側部に取り付け固定される。取付アーム部１４２の上部および下部に、固定部材係合穴部１４４が形成される。固定部材係合穴部１４４は、固定部材１４８の一端を係合させることが可能な丸穴状に形成される。リールガード１４１の前面に、ハニカム形状の凹凸面部１４５が形成される。これにより、リールガード１４１の強度を高めることができる。また、ハニカム形状の凹凸面部１４５によってリールガード１４１の前面についた傷が見立たなくなり、リールガード１４１を再利用し易くなる。
【００５９】
リールブラケット１５１は、図１６〜図１８に示すように、樹脂材料を用いて、上下方向および前後方向に延びる板状に形成され、リールケース２０１に収容保持される。リールブラケット１５１の前部中央に、リール間の隙間を覆うためのカラー部１５２が円弧状に形成される。リールブラケット１５１の左側部前側に、バックランプ取付部１５３が形成される。バックランプ取付部１５３に、バックランプユニット１３１（バックランプハウス１３６）の取付アーム部１３８が取り付け固定される。リールブラケット１５１の左側部中央に、モータ取付部１５４が形成される。モータ取付部１５４に、モータカバー１２６に覆われたリールモータ１２１が取り付け固定される。これにより、リールブラケット１５１は、リールモータ１２１を介して、第３リール１０２ｃを回転可能に保持する。リールブラケット１５１の左側部上側に、センサ取付部１５５が形成される。センサ取付部１５５に、リールセンサ１１６が取り付けられる。リールセンサ１１６は、所定の基準回転位置に回転した第３リール１０２ｃのセンサ検出片１１４を検出する。
【００６０】
図１９および図２０に示すように、リールブラケット１５１の前下部に、リールガード取付部１５６が形成される。リールガード取付部１５６の前部右側に、係合溝部１５７が形成される。係合溝部１５７は、リールガード取付部１５６の右側部で開口した蟻溝状に形成され、リールガード１４１の係合片部１４３を右方から係合溝部１５７に挿入して係合させることができるようになっている。リールガード取付部１５６の右側部に、リールガード固定穴部１５８が形成される。リールガード固定穴部１５８は、固定部材１４８の他端を係合させることが可能な丸穴状に形成される。リールガード固定穴部１５８に固定部材１４８の他端を係合させた状態で、リールガード１４１の係合片部１４３を係合溝部１５７に挿入して係合させて、リールガード１４１の固定部材係合穴部１４４に固定部材１４８の一端を結合させることにより、リールガード１４１がリールガード取付部１５６に取り付け固定される。
【００６１】
なお、リールブラケット１５１の右側面部には、リールガード１４１の凹凸面部１４５と同様に、ハニカム形状の凹凸面部１５９が形成される。これにより、リールブラケット１５１の強度を高めることができる。また、ハニカム形状の凹凸面部１５９によってリールブラケット１５１の右側面部についた傷が見立たなくなり、リールブラケット１５１を再利用し易くなる。
【００６２】
図２２〜図２５に示すように、リールブラケット１５１の前部上側に、板状の上側ブラケット固定部１６１が形成される。上側ブラケット固定部１６１は、上側固定具１６８を用いて、リールケース２０１の上側フランジ部２１１に固定される。上側ブラケット固定部１６１の右側に、上側固定具挿通穴部１６２が形成される。上側固定具挿通穴部１６２は、上側固定具１６８を挿通させることが可能な丸穴状に形成される。上側固定具１６８を上側固定具挿通穴部１６２に挿通させて、上側フランジ部２１１の上側固定穴部２１２と係合させることにより、上側ブラケット固定部１６１が上側フランジ部２１１に固定される。なお、上側固定具１６８は、ナイラッチ（登録商標）やニフラッチ（登録商標）等を用いて構成される。
【００６３】
上側ブラケット固定部１６１の左側に、前側コネクタ取付部１６３が形成される。前側コネクタ取付部１６３の後側に、モータケーブル（図示せず）の一端に設けられたブラケット側リール中継コネクタ１９１が取り付けられる。モータケーブルは、リールモータ１２１とリール中継基板２５１とに電気的に接続されるとともに、リールセンサ１１６とリール中継基板２５１とに電気的に接続される二股のケーブルである。前側コネクタ取付部１６３の中央に、上下に延びる長穴状の前側ケーブル挿通穴部１６４が形成される。前側ケーブル挿通穴部１６４の上側に、ブラケット側リール中継コネクタ１９１の基端部および当該基端部に繋がるモータケーブルが挿通される。
【００６４】
前側ケーブル挿通穴部１６４の下側に、上側フランジ部２１１のケース前側係合部２１４と係合可能なブラケット前側係合部１６４ｈが形成される。前側ケーブル挿通穴部１６４がブラケット前側係合部１６４ｈを含んで大きく形成されることで、上側フランジ部２１１のケース前側係合部２１４とブラケット前側係合部１６４ｈとが係合する前の状態で、モータケーブルを前側ケーブル挿通穴部１６４に容易に挿通させることができる。また、上側フランジ部２１１のケース前側係合部２１４は、前述したように、前面視凹形の突起状に形成されており、ブラケット前側係合部１６４ｈと係合する際に、モータケーブルを噛み込まないようになっている。前側コネクタ取付部１６３の両脇に、前側ガイドピン挿通穴部１６５が形成される。前側ガイドピン挿通穴部１６５は、ブラケット側リール中継コネクタ１９１のガイドピン１９２を挿通させることが可能な丸穴状に形成される。
【００６５】
ブラケット側リール中継コネクタ１９１は、両脇に形成されたガイドピン１９２が前側ガイドピン挿通穴部１６５に挿通された状態で、前側コネクタ取付部１６３の後側に取り付けられる。ブラケット側リール中継コネクタ１９１は、リールブラケット１５１（第３リールモジュール１０１ｃ）がリールケース２０１に収容保持されると、リール中継基板２５１のケース側リール中継コネクタ２５２と嵌合して電気的に接続されるようになっている。なお、モータケーブル（図示せず）の他端に設けられたモータ側ケーブルコネクタ（図示せず）は、リールモータ１２１のモータコネクタ１２２と電気的に接続される。モータケーブル（図示せず）のもう一つの他端に設けられたセンサ側ケーブルコネクタ（図示せず）は、リールセンサ１１６のセンサコネクタ（図示せず）と電気的に接続される。
【００６６】
なお、ブラケット側リール中継コネクタ１９１の基端部は、モータケーブル（図示せず）との接続部を基準として下側が厚くなるように形成される。そのため、ブラケット側リール中継コネクタ１９１を上下逆の向きで前側コネクタ取付部１６３に取り付けようとしても、ブラケット側リール中継コネクタ１９１の基端部が前側ケーブル挿通穴部１６４の上方部分に当接し、前側ケーブル挿通穴部１６４の上側に、ブラケット側リール中継コネクタ１９１の基端部および当該基端部に繋がるモータケーブルを挿通させることができないようになっている。これにより、ブラケット側リール中継コネクタ１９１が上下逆の向きで前側コネクタ取付部１６３に取り付けられることを防止することができる。
【００６７】
図１６に示すように、リールブラケット１５１の前部下側に、板状の下側ブラケット固定部１７１が形成される。下側ブラケット固定部１７１は、下側固定具１７８を用いて、リールケース２０１の下側フランジ部２１６に固定される。下側ブラケット固定部１７１の中央に、下側固定具挿通穴部１７２（図２０を参照）が形成される。下側固定具挿通穴部１７２は、下側固定具１７８を挿通させることが可能な丸穴状に形成される。下側固定具１７８を下側固定具挿通穴部１７２に挿通させて、下側フランジ部２１６の下側固定穴部２１７と係合させることにより、下側ブラケット固定部１７１が下側フランジ部２１６に固定される。なお、下側固定具１７８は、ナイラッチ（登録商標）やニフラッチ（登録商標）等を用いて構成される。
【００６８】
図２６〜図２９に示すように、リールブラケット１５１の後部上側に、後側コネクタ取付部１８３が形成される。後側コネクタ取付部１８３の後側に、ランプケーブル（図示せず）の一端に設けられたブラケット側ランプ中継コネクタ１９６が取り付けられる。ランプケーブルは、バックランプ基板１３２とランプ中継基板２６１とに電気的に接続されるケーブルである。後側コネクタ取付部１８３の中央に、後側ケーブル挿通部１８４が切欠き形成される。後側ケーブル挿通部１８４に、ブラケット側ランプ中継コネクタ１９６の基端部および当該基端部に繋がるランプケーブルが挿通される。後側コネクタ取付部１８３の両脇に、後側ガイドピン挿通穴部１８５が形成される。後側ガイドピン挿通穴部１８５は、ブラケット側ランプ中継コネクタ１９６のガイドピン１９７を挿通させることが可能な丸穴状に形成される。
【００６９】
ブラケット側ランプ中継コネクタ１９６は、両脇に形成されたガイドピン１９７が後側ガイドピン挿通穴部１８５に挿通された状態で、後側コネクタ取付部１８３の後側に取り付けられる。ブラケット側ランプ中継コネクタ１９６は、リールブラケット１５１（第３リールモジュール１０１ｃ）がリールケース２０１に収容保持されると、ランプ中継基板２６１のケース側ランプ中継コネクタ２６２と嵌合して電気的に接続されるようになっている。なお、ランプケーブル（図示せず）の他端に設けられたランプ側ケーブルコネクタ（図示せず）は、バックランプ基板１３２のランプ基板コネクタ１３４と電気的に接続される。
【００７０】
なお、ブラケット側ランプ中継コネクタ１９６の基端部は、ランプケーブル（図示せず）との接続部を基準として左側が厚くなるように形成される。そのため、ブラケット側ランプ中継コネクタ１９６を左右逆の向きで後側コネクタ取付部１８３に取り付けようとしても、ブラケット側ランプ中継コネクタ１９６の基端部が後側ケーブル挿通部１８４の右方部分に当接し、後側ケーブル挿通部１８４に、ブラケット側ランプ中継コネクタ１９６の基端部および当該基端部に繋がるランプケーブルを挿通させることができないようになっている。これにより、ブラケット側ランプ中継コネクタ１９６が左右逆の向きで後側コネクタ取付部１８３に取り付けられることを防止することができる。
【００７１】
図１７に示すように、リールブラケット１５１の後端部に、ブラケット後側係合部１８６が形成される。ブラケット後側係合部１８６は、リールブラケット１５１の中間部分よりも薄い、上下方向に延びる片状に形成される。ブラケット後側係合部１８６は、リールケース２０１のケース後側係合部２２３と係合するようになっている。なお、ケース後側係合部２２３の最大幅は、リールブラケット１５１の中間部の幅と同じか、それよりも小さくなるように設計されており、ブラケット後側係合部１８６と係合しても、第３リール１０２ｃに当接しないようになっている。
【００７２】
以上のように構成される第３リールモジュール１０１ｃを、リールケース２０１に収容保持させるには、まず、リールブラケット１５１の上部をリールケース２０１の右側の上側ガイド部２２１と係合させるとともに、リールブラケット１５１の下部をリールケース２０１の右側の下側ガイド部２２２と係合させる。これにより、リールブラケット１５１がリールケース２０１の内側で前後方向にスライド移動することが可能になる。
【００７３】
次に、第３リールモジュール１０１ｃを、リールケース２０１の前方側から後方（リールケース２０１の内方）にスライド移動させる。このとき、リールブラケット１５１は、上側ガイド部２２１および下側ガイド部２２２によって、リールケース２０１の前方側から所定の第３保持位置まで案内される。リールブラケット１５１が上側ガイド部２２１および下側ガイド部２２２に案内されて所定の第３保持位置まで移動すると、リールブラケット１５１の上側ブラケット固定部１６１がリールケース２０１の上側フランジ部２１１に当接し、リールブラケット１５１の下側ブラケット固定部１７１がリールケース２０１の下側フランジ部２１６に当接する。
【００７４】
そして、上側固定具１６８を用いて、リールブラケット１５１の上側ブラケット固定部１６１をリールケース２０１の上側フランジ部２１１に固定し、下側固定具１７８を用いて、リールブラケット１５１の下側ブラケット固定部１７１をリールケース２０１の下側フランジ部２１６に固定する。これにより、第３リールモジュール１０１ｃは、リールケース２０１の右側の第３保持位置でリールケース２０１に収容保持される。
【００７５】
また、図３０および図３１に示すように、リールブラケット１５１が上側ガイド部２２１および下側ガイド部２２２に案内されて所定の第３保持位置まで移動すると、リールブラケット１５１の前側では、リールブラケット１５１の前部（前側コネクタ取付部１６３）に取り付けられたブラケット側リール中継コネクタ１９１と、リール中継基板２５１のケース側リール中継コネクタ２５２とが嵌合して電気的に接続される。リールブラケット１５１の後側では、リールブラケット１５１の後部（後側コネクタ取付部１８３）に取り付けられたブラケット側ランプ中継コネクタ１９６と、ランプ中継基板２６１のケース側ランプ中継コネクタ２６２とが嵌合して電気的に接続される。これにより、第３リールモジュール１０１ｃをリールケース２０１に収容して取り付ける作業を行うだけで、リールモータ１２１およびリールセンサ１１６とリール中継基板２５１とを電気的に接続させるとともに、バックランプ基板１３２とランプ中継基板２６１とを電気的に接続させることができる。
【００７６】
また、リールブラケット１５１が上側ガイド部２２１および下側ガイド部２２２に案内されて所定の第３保持位置まで移動すると、リールブラケット１５１の前部に形成されたブラケット前側係合部１６４ｈと、リールケース２０１のケース前側係合部２１４とが係合し、リールブラケット１５１の後部に形成されたブラケット後側係合部１８６と、リールケース２０１のケース後側係合部２２３とが係合する。これにより、リールブラケット１５１におけるブラケット側リール中継コネクタ１９１およびブラケット側ランプ中継コネクタ１９６の近傍の部分がリールケース２０１に対して固定されるため、ブラケット側リール中継コネクタ１９１とケース側リール中継コネクタ２５２との位置ズレおよび、ブラケット側ランプ中継コネクタ１９６とケース側ランプ中継コネクタ２６２との位置ズレを防止することができる。そのため、本実施形態によれば、簡単な作業で確実にリールユニット１００を組み立てることができる。
【００７７】
なお、第１リールモジュール１０１ａは、上述と同様の作業を行うことにより、リールケース２０１の左側の第１保持位置でリールケース２０１に収容保持される。第２リールモジュール１０１ｂは、上述と同様の作業を行うことにより、リールケース２０１の中央側の第２保持位置でリールケース２０１に収容保持される。そのため、第１リールモジュール１０１ａおよび第２リールモジュール１０１ｂについても、上述と同様の効果を得ることができる。
【００７８】
また、本実施形態において、各リールモジュール１０１ａ〜１０１ｃにおけるリールブラケット１５１の前下部に、各リール１０２ａ〜１０２ｃの下部前方を覆うリールガード１４１が取り付けられる。これにより、前扉２を開放してスロットマシン１のメンテナンスを行う際、例えば、遊技メダルを補充する際に、遊技メダルを入れたジョッキ（図示せず）が各リール１０２ａ〜１０２ｃに接近しても、リールガード１４１によって各リール１０２ａ〜１０２ｃに当接することを防ぐことができ、各リール１０２ａ〜１０２ｃの破損を防止することが可能になる。各リールモジュール１０１ａ〜１０１ｃのリールブラケット１５１に、リールガード１４１が個別に取り付けられるため、故障等により、各リールモジュール１０１ａ〜１０１ｃのうちいずれかを交換する必要が生じたとしても、リールガード１４１のみを取り外す必要が無く、各リールモジュール１０１ａ〜１０１ｃを個別に容易に交換することができる。
【００７９】
前述したように、リールガード１４１は略Ｌ字形の板状に形成され、リールガード１４１の右端部後側に形成された取付アーム部１４２が、リールブラケット１５１のリールガード取付部１５６に取り付けられるようになっている。これにより、遊技メダルを入れたジョッキ等（図示せず）の異物がリールガード１４１に当接した場合に生じる力のモーメントが、リールガード１４１の右端の折れ曲がり部分に作用し、リールガード１４１の取付アーム部１４２とリールブラケット１５１のリールガード取付部１５６との結合部分に直接作用しない。そのため、リールブラケット１５１（リールガード取付部１５６）に対するリールガード１４１の取り付け強度を高めることが可能になる。
【００８０】
以上のようにして組み立てられたリールユニット１００を、リールベース６０に載置固定するには、まず、リールユニット１００（リールケース２０１）を筐体５の内部に収容するようにしてリールベース６０の上に載置する。次に、必要に応じて手動でリールユニット１００を移動させ、リールベース６０における前側固定部６１の前面に、リールユニット１００のリールケース２０１に形成された下側フランジ部２１６を当接させる。なおこのとき、リールユニット１００のリールケース２０１に形成された左右の係合突起部２４１を、リールベース６０の左右の係合穴部６６に挿通させて係合させる。そして、固定ネジ６３を用いて、リールケース２０１の下側フランジ部２１６をリールベース６０の前側固定部６１に固定する。これにより、リールユニット１００がリールベース６０に載置固定される。
【００８１】
本実施形態において、リールケース２０１の係合突起部２４１の上面部２４３に、下面部２４２に対して略平行に前後に延びる平行面部２４４が形成されている。係合突起部２４１がリールベース６０の係合穴部６６に係合した状態で、係合突起部２４１の平行面部２４４は、係合穴部６６の上側内周部に摺接もしくは近接し、係合突起部２４１の左側面部２４６および右側面部２４７は、係合穴部６６の左右の内周部に摺接もしくは近接するように構成される。これにより、画像表示装置６００の仕様変更によって、リールユニット１００の前後方向の位置が設計的に変化したとしても、係合突起部２４１の平行面部２４４は、リールユニット１００（係合突起部２４１）前後方向の変位に拘わらず係合穴部６６の上側内周部に摺接もしくは近接するため、係合突起部２４１と係合穴部６６との間で上下方向のガタが生じることはない。そのため、本実施形態によれば、簡便な構成でリールユニット１００をリールベース６０に対して確実に固定することが可能になる。
【００８２】
＜主制御装置の構成＞
次に、本実施形態に係る主制御装置３００の構成について図３２〜図５１を参照して説明する。主制御装置３００は、図３２に示すように、主制御基板３１０と、主制御基板３１０を収容する主基板ケース４１０とを有して構成される。主制御基板３１０は、制御チップ３１２と、役比モニターとも称される情報表示ランプ３１３と、複数の電気コネクタ３１４と、これらが実装されるプリント基板３１１とを有して構成される。主制御基板３１０は、制御チップ３１２のＲＯＭに記憶された制御プログラムに従って各駆動回路等が動作することにより、スロットマシン１における遊技の進行に係る制御が行われるように構成される。また、主制御基板３１０には、設定キーシリンダ３１６が電気的に接続されるようになっている。
【００８３】
主基板ケース４１０は、ケース本体４１１と、ケース蓋４２１とを有し、ケース本体４１１およびケース蓋４２１を結合させて形成されるケース内部に主制御基板３１０を収容可能に構成される。プリント基板３１１の表面側に実装された、制御チップ３１２、情報表示ランプ３１３等といった電気コネクタ３１４を除く各素子は、主制御基板３１０が主基板ケース４１０に収容された状態で、主基板ケース４１０のケース蓋４２１に覆われるようになっている。主基板ケース４１０は、透明な樹脂材料を用いて形成されており、ケース蓋４２１の外側から、制御チップ３１２、情報表示ランプ３１３等を視認可能に構成される。また、ケース本体４１１の外側から、プリント基板３１１（主制御基板３１０）の裏面側を視認可能に構成される。
【００８４】
ケース本体４１１は、透明な樹脂材料を用いて左方が開口した略矩形箱状に形成される。ケース蓋４２１は、透明な樹脂材料を用いて右方が開口した略矩形箱状に形成される。ケースかしめ部材４４１を用いて、ケース本体４１１とケース蓋４２１とが結合するように構成される。なお、主制御基板３１０は、基板固定ネジ３１９を用いて、ケース蓋４２１の裏側に固定される。
【００８５】
ケース本体４１１の前下部に、本体側結合部４１２と、本体側仮係合部４１３とが形成される。本体側結合部４１２は、有底円筒状に形成され、ケースかしめ部材４４１の一端側が係合するようになっている。本体側仮係合部４１３は、有底円筒状に形成され、主基板ケース４１０を回収する際に、使用済みの本体かしめ部材（図示せず）の一端側を係合させることができるようになっている。
【００８６】
ケース本体４１１の下縁部に、本体側刻印部４１４が形成される。本体側刻印部４１４は、例えば、対応するスロットマシンの製品ロゴ（機種名）の上半分を示す刻印形状を有して形成される。ケース本体４１１の前縁部に、本体側封印部４１５と、設定キー支持部４１６とが形成される。本体側封印部４１５は、前方に突出する板状に形成される。設定キー支持部４１６は、設定キーシリンダ３１６を支持可能なブロック状に形成される。設定キー支持部４１６は、設定キーシリンダ３１６が左斜め前方を向くように、設定キーシリンダ３１６を主制御基板３１０に対し傾けて支持する。
【００８７】
ケース蓋４２１の前下部に、蓋側結合部４２２と、蓋側仮係合部４２３とが形成される。蓋側結合部４２２は、詳細な図示を省略するが、ケース本体４１１の本体側結合部４１２と位置整合して有底円筒状に形成され、ケースかしめ部材４４１の他端側が係合するようになっている。ケースかしめ部材４４１の一端側を本体側結合部４１２と係合させた状態で、ケース蓋４２１をケース本体４１１に重ねると、ケースかしめ部材４４１の他端側が蓋側結合部４２２と係合し、ケースかしめ部材４４１を介して本体側結合部４１２と蓋側結合部４２２とが結合する。これにより、ケース蓋４２１をケース本体４１１に対して取り外すことができないように結合させることができる。蓋側仮係合部４２３は、ケース本体４１１の本体側仮係合部４１３と位置整合して有底円筒状に形成され、主基板ケース４１０を回収する際に、使用済みの本体かしめ部材（図示せず）の他端側を係合させることができるようになっている。
【００８８】
ケース蓋４２１の下縁部に、蓋側刻印部４２４が形成される。蓋側刻印部４２４は、例えば、対応するスロットマシンの製品ロゴ（機種名）の下半分を示す刻印形状を有して形成される。ケース本体４１１とケース蓋４２１とが結合すると、図４０に示すように、本体側刻印部４１４と蓋側刻印部４２４とが隣接して、例えば、対応するスロットマシンの製品ロゴを示す一体的な刻印が形成されるようになっている。ケース本体４１１とケース蓋４２１とが結合して、本体側刻印部４１４と蓋側刻印部４２４とが隣接する状態で、レーザーマーキングにより、本体側刻印部４１４と蓋側刻印部４２４とに跨って所定のマークＭが形成されるようになっている。
【００８９】
ケース蓋４２１の前縁部に、蓋側封印部４２５と、設定キー収容部４３１とが形成される。蓋側封印部４２５は、本体側封印部４１５と位置整合して前方に突出する板状に形成される。本体側封印部４１５と蓋側封印部４２５との間に封印カッター４４３が取り付けられた状態で、本体側封印部４１５と蓋側封印部４２５とに跨って封印シール４４２が貼り付けられる。また、封印シール４４２を覆うように内側封印カバー４４４および外側封印カバー４４５が取り付けられる。
【００９０】
設定キー収容部４３１は、図３３および図３４に示すように、前方に設定キー開口部４３２を有する箱状に形成され、設定キー支持部４１６に支持された設定キーシリンダ３１６を覆うようになっている。設定キー開口部４３２は、設定キー収容部４３１に覆われた設定キーシリンダ３１６の鍵穴部を露出させる。設定キー収容部４３１には、カバー付勢部材４５８の付勢力を利用して設定キー開口部４３２を開閉可能な開閉カバー部材４５１が取り付けられる。
【００９１】
また、図３２に示すように、ケース蓋４２１の各部に、ケース内部に収容した主制御基板３１０の電気コネクタ３１４を露出させるためのコネクタ露出部４２６が形成されている。なお、ケース蓋４２１の上部に形成されたコネクタ露出部４２６には、コネクタカバー４４６（図４１を参照）を装着できるようになっている。ケース蓋４２１の前上部に、第１ケース側結合部４２７と、第２ケース側結合部４２８とが形成される。第１ケース側結合部４２７および第２ケース側結合部４２８は、詳細な図示を省略するが、有底円筒状に形成され、本体かしめ部材（図示せず）の他端側が係合するようになっている。
【００９２】
図３５に示すように、設定キー収容部４３１の外側上部に、上側ヒンジ穴部４３３が形成される。上側ヒンジ穴部４３３に、開閉カバー部材４５１の上側ヒンジ軸部４５２が回転自在に係合する。設定キー収容部４３１の外側下部に、下側ヒンジ穴部４３４が形成される。下側ヒンジ穴部４３４に、開閉カバー部材４５１の下側ヒンジ軸部４５３が回転自在に係合する。設定キー収容部４３１の外側における上側ヒンジ穴部４３３と下側ヒンジ穴部４３４との中間部分に、脱落防止リブ部４３５が上下方向に３つ並んで形成される。下側２つの脱落防止リブ部４３５は、開閉カバー部材４５１の基端部に近接し、開閉カバー部材４５１が必要以上に開いて、開閉カバー部材４５１の上側ヒンジ軸部４５２および下側ヒンジ軸部４５３が上側ヒンジ穴部４３３および下側ヒンジ穴部４３４から外れるのを防止するようになっている。上側の脱落防止リブ部４３５は、開閉カバー部材４５１の基端部に形成された切欠き部分と係合し、開閉カバー部材４５１が設定キー開口部４３２を閉じる状態から１８０度を超えて開くのを規制するようになっている。設定キー収容部４３１の前部における設定キー開口部４３２の近傍に、円弧状に延びるガードリブ４３６が形成される。ガードリブ４３６は、設定キー開口部４３２を閉じた状態の開閉カバー部材４５１の先端側縁部に近接するようになっている。
【００９３】
図３６および図３７に示すように、開閉カバー部材４５１は、透明な樹脂材料を用いて板状に形成される。開閉カバー部材４５１の基端部上側に、上側ヒンジ軸部４５２が形成される。上側ヒンジ軸部４５２は、上方に延びる軸状に形成され、設定キー収容部４３１の上側ヒンジ穴部４３３に回転自在に係合する。開閉カバー部材４５１の基端部下側に、下側ヒンジ軸部４５３が形成される。下側ヒンジ軸部４５３は、下方に延びる軸状に形成され、カバー付勢部材４５８が取り付けられるようになっている。下側ヒンジ軸部４５３における下端部近傍の側部に、カバー付勢部材４５８が当接可能な抜け止め突起部４５４が形成される。下側ヒンジ軸部４５３における抜け止め突起部４５４よりも下側の部分が、設定キー収容部４３１の下側ヒンジ穴部４３４に回転自在に係合する。上側ヒンジ軸部４５２および下側ヒンジ軸部４５３が上側ヒンジ穴部４３３および下側ヒンジ穴部４３４に係合することで、開閉カバー部材４５１が設定キー収容部４３１に対して設定キー開口部４３２を揺動開閉可能に取り付けられる。
【００９４】
なお、下側ヒンジ軸部４５３に取り付けられたカバー付勢部材４５８は、ねじりコイルバネを用いて構成され、開閉カバー部材４５１が設定キー開口部４３２を閉じる方向へ付勢力を加えるようになっている。また、開閉カバー部材４５１の上縁部に、開閉カバー部材４５１を揺動開閉させる際に摘まむことが可能なツマミ部４５６が形成される。遊技場の管理者は、開閉カバー部材４５１を（カバー付勢部材４５８の付勢力に抗して）揺動させて設定キー収容部４３１の設定キー開口部４３２を開放させることにより、設定変更キー（図示せず）を設定キーシリンダ３１６の鍵穴部に差し込んで所定の回動角度（例えば、右回り（時計方向）に約９０度）だけ回動させることができる。これにより、遊技者にとっての有利度を定めるスロットマシン１の設定値（遊技役の当選確率等）を変更することが可能である。
【００９５】
前述したように、設定キーシリンダ３１６は、主制御基板３１０に対して左斜め前方を向くように傾斜して配置される。これにより、設定キーシリンダ３１６が主制御基板３１０に対して略垂直な方向（左方向）を向いて配置される場合よりも、設定変更キー（図示せず）を設定キーシリンダ３１６の鍵穴部に容易に差し込むことが可能である。設定キーシリンダ３１６が主制御基板３１０に対して略平行な方向（前方向）を向いて配置される場合よりも、ケース蓋４２１の天井部に対する設定キー収容部４３１の突出量を抑えることができる。
【００９６】
抜け止め突起部４５４は、下側ヒンジ軸部４５３の側方に突出する突起状に形成され、下側ヒンジ軸部４５３に取り付けられたカバー付勢部材４５８が下側ヒンジ軸部４５３から抜けて出るのを防止している。抜け止め突起部４５４の突出量は、カバー付勢部材４５８が下側ヒンジ軸部４５３に対して径方向にずれた場合でも、抜け止め突起部４５４に引っ掛ることが可能な突出量に設定される。これにより、設定キー開口部４３２を開いた状態の開閉カバー部材４５１に対し想定外の大きな力が作用して、設定キー収容部４３１から開閉カバー部材４５１が外れたとしても、抜け止め突起部４５４によって、カバー付勢部材４５８が下側ヒンジ軸部４５３から抜けて出るのを防止することができる。そのため、下側ヒンジ軸部４５３から抜け出たカバー付勢部材４５８が、電源装置５５の内部に入り込んで回路ショートを生じさせたり、メダル払出装置５０のホッパー５１や補助収納庫５３に入り込んで紛失した状態を生じさせたりする等の不具合を防止することが可能になる。
【００９７】
また、図３７（Ａ）および図３７（Ｂ）に示すように、下側ヒンジ軸部４５３の下部における抜け止め突起部４５４と反対側の側部に、平坦部４５５が形成される。これにより、カバー付勢部材４５８の下端部が、抜け止め突起部４５４を乗り越えようとしても、抜け止め突起部４５４の反対側に形成された平坦部４５５の下端部に引っ掛るようになっている。そのため、下側ヒンジ軸部４５３に取り付けられたカバー付勢部材４５８が下側ヒンジ軸部４５３から抜けて出るのをより確実に防止することができる。
【００９８】
主制御基板３１０をケース内部に収容した主基板ケース４１０は、図３８に示すように、基板ケース取付機構５００を介して、筐体５における右側板５ｂの上部内面に取り付けられる。基板ケース取付機構５００は、図４０および図４１に示すように、第１ベース部材５１０と、第２ベース部材５３０と、ブラケット部材５５０と、ベースカバー部材５７０と、ブラケット固定具５８０とを有して構成される。
【００９９】
第１ベース部材５１０は、図４２（Ａ）および図４２（Ｂ）に示すように、樹脂材料を用いて、左方に向けて開口した容器状に形成される。第１ベース部材５１０の右壁部５１１の上下に、第１ベース固定ネジ５２６を挿通させることが可能な第１ネジ挿通穴部５１２が形成される。図４３に示すように、第１ベース固定ネジ５２６を第１ネジ挿通穴部５１２に挿通させて筐体５の右側板５ｂに形成されたネジ穴部（図示せず）にネジ固定することで、第１ベース部材５１０は、右側板５ｂの上部内面に取り付け固定される。図４２（Ａ）に示すように、第１ベース部材５１０の後壁部５１３の後面側に、位置決め用のボス部５１４が上下に形成される。ボス部５１４が筐体５の背板５ｅに形成されたボス穴（図示せず）と係合すると、第１ベース部材５１０の右壁部５１１が右側板５ｂの上部内面に重なり、第１ベース部材５１０の後壁部５１３が背板５ｅの右上部内面に重なるようになっている。
【０１００】
図４２（Ａ）および図４２（Ｂ）に示すように、第１ベース部材５１０の後壁部５１３の左縁部に、係止片部５１５が左方に突出して形成される。係止片部５１５は、第２ベース部材５３０の係止溝部５３５に係止するようになっている。第１ベース部材５１０の後壁部５１３の上下端部に、第１ベース側係合部５１６が形成される。第１ベース側係合部５１６に、ブラケット部材５５０のブラケット側係合部５５２を係合させることができるようになっている。第１ベース部材５１０の前壁部５１７の上下に、ベース側固定部５２１が前方に突出して形成される。ベース側固定部５２１に、ブラケット部材５５０のブラケット側固定部５６１が重なるようになっている。ベース側固定部５２１の中央に、固定穴部５２２が形成される。固定穴部５２２は、ブラケット固定具５８０の係合部材５８１が係合可能な丸穴状に形成される。
【０１０１】
第２ベース部材５３０は、図４４（Ａ）および図４４（Ｂ）に示すように、樹脂材料を用いて、前方に向けて開口した容器状に形成される。第２ベース部材５３０の後壁部５３１の上下に、第２ベース固定ネジ（図示せず）を挿通させることが可能な第２ネジ挿通穴部５３２が形成される。第２ベース固定ネジを第２ネジ挿通穴部５３２に挿通させて筐体５の背板５ｅに形成されたネジ穴部（図示せず）にネジ固定することで、第２ベース部材５３０は、背板５ｅの右上部内面に取り付け固定され、第１ベース部材５１０の後壁部５１３の左方に隣接する。第２ベース部材５３０の後壁部５３１の上側に、上部ベース側結合部５３３が形成される。上部ベース側結合部５３３は、上側の第２ネジ挿通穴部５３２の周囲を囲む円筒状に形成され、上側カバーかしめ部材（図示せず）の一端側が係合するようになっている。第２ベース部材５３０の後壁部５３１の下側に、下部ベース側結合部５３４が形成される。下部ベース側結合部５３４は、下側の第２ネジ挿通穴部５３２の上方近傍に位置して円筒状に形成され、下側カバーかしめ部材（図示せず）の一端側が係合するようになっている。
【０１０２】
第２ベース部材５３０の後壁部５３１の前面中間部に、係止溝部５３５が形成される。係止溝部５３５は、後壁部５３１の前面中間部から右方に延びて右壁部５３６において開口した溝状に形成される。係止溝部５３５には、第１ベース部材５１０の係止片部５１５が係止するようになっている。第２ベース部材５３０の右壁部５３６の上下端部に、第２ベース側係合部５３７が形成される。第２ベース側係合部５３７は、第１ベース部材５１０の第１ベース側係合部５１６に近接し、第１ベース側係合部５１６および第２ベース側係合部５３７に対して、ブラケット部材５５０のブラケット側係合部５５２が回転自在に係合する。
【０１０３】
ブラケット部材５５０は、図４５（Ａ）および図４５（Ｂ）に示すように、透明の樹脂材料を用いて、左方に向けて開口した容器状に形成される。ブラケット部材５５０は、主制御装置３００（主基板ケース４１０）を保持して第１ベース部材５１０および第２ベース部材５３０と結合される。ブラケット部材５５０の後壁部５５１の上下端部に、ブラケット側係合部５５２が形成される。ブラケット側係合部５５２は、上下方向に延びる軸状に形成され、第１ベース側係合部５１６および第２ベース側係合部５３７に対して回転自在に係合する。これにより、ブラケット部材５５０は、第１ベース部材５１０および第２ベース部材５３０に対して揺動可能に結合する。ブラケット部材５５０は、第１ベース部材５１０の右壁部５１１に重なって主制御装置３００（主基板ケース４１０）とともに筐体５の右側板５ｂの上部内面側に配置されるケース保持位置（図３８を参照）と、主制御装置３００とともに右側板５ｂの上部内面側から離れるケース揺動位置（図３９を参照）とに、左右方向に揺動可能に構成される。
【０１０４】
ブラケット部材５５０は、ケース保持位置からケース揺動位置まで揺動すると、第２ベース部材５３０の右壁部５３６に当接し、ケース揺動位置を超えたブラケット部材５５０の揺動が規制される。ケース保持位置からケース揺動位置までのブラケット部材５５０の揺動角度は、例えば、９０度であってもよく、４５度であってもよい。一方、ブラケット部材５５０は、ケース揺動位置からケース保持位置まで揺動すると、第１ベース部材５１０の右壁部５１１に当接して重なり、ケース保持位置を超えたブラケット部材５５０の揺動が規制される。このとき、ブラケット部材５５０の前壁部５５７は、第１ベース部材５１０の前壁部５１７の後側（内側）に接して重なるようになっている（図４０（Ｂ）を参照）。これにより、ブラケット部材５５０の前壁部５５７と第１ベース部材５１０の前壁部５１７との間に隙間が形成されにくくなるため、ブラケット部材５５０（右壁部５５３）の裏側への不正なアクセスを防止することが可能である。第１ベース部材５１０の前壁部５１７の中央部分の高さは、前壁部５１７の他の部分（上側部分および下側部分）の高さよりも低くなっている。これにより、ブラケット部材５５０の裏側への不正なアクセスを防止しつつ、ブラケット部材５５０に保持された主基板ケース４１０の内部を前方から視認しやすくなる。
【０１０５】
また、ブラケット部材５５０が主基板ケース４１０を保持してケース保持位置に位置する状態において、主制御基板３１０の制御チップ３１２および情報表示ランプ３１３は、筐体５の右側板５ｂに形成された第１ベース固定ネジ５２６等のネジ穴部（図示せず）の左右方向に延びる延長線上に重ならないように配置される。これにより、制御チップ３１２および情報表示ランプ３１３が右側板５ｂのネジ穴部に対してずれて配置される。そのため、スロットマシン１の外部から右側板５ｂのネジ穴部を通じて、ブラケット部材５５０や主基板ケース４１０のケース本体４１１に不正に穴を開けたとしても、主制御基板３１０における制御チップ３１２および情報表示ランプ３１３の裏側の端子に直接到達することがない。従って、制御チップ３１２および情報表示ランプ３１３等といった、遊技に係わる電気素子の端子に対する不正なアクセスを防止することが可能である。
【０１０６】
なお、制御チップ３１２および情報表示ランプ３１３に限らず、主制御基板３１０における他のＩＣが、右側板５ｂのネジ穴部の延長線上に重ならないように配置されてもよい。主制御基板３１０における制御チップ３１２または情報表示ランプ３１３と電気コネクタ３１４との間の部分が、右側板５ｂのネジ穴部の延長線上に重ならないように配置されてもよい。主制御基板３１０における制御チップ３１２または情報表示ランプ３１３と電気コネクタ３１４とに繋がる配線部分が、右側板５ｂのネジ穴部の延長線上に重ならないように配置されてもよい。
【０１０７】
ブラケット部材５５０の右壁部５５３の前上部に、第１ブラケット側結合部５５４および第２ブラケット側結合部５５５が上下に並んで形成される。第１ブラケット側結合部５５４および第２ブラケット側結合部５５５は、主基板ケース４１０の第１ケース側結合部４２７および第２ケース側結合部４２８と位置整合して有底円筒状に形成され、本体かしめ部材（図示せず）の一端側が係合するようになっている。本体かしめ部材の一端側を第１ブラケット側結合部５５４（もしくは第２ブラケット側結合部５５５）と係合させた状態で、主基板ケース４１０をブラケット部材５５０の右壁部５５３に重ねると、本体かしめ部材の他端側が第１ケース側結合部４２７（もしくは第２ケース側結合部４２８）と係合し、本体かしめ部材を介して第１ブラケット側結合部５５４（もしくは第２ブラケット側結合部５５５）と第１ケース側結合部４２７（もしくは第２ケース側結合部４２８）とが結合する。これにより、主基板ケース４１０がブラケット部材５５０に対して取り外すことができないように結合保持される。
【０１０８】
主基板ケース４１０（ケース蓋４２１）の前側に第１ケース側結合部４２７および第２ケース側結合部４２８が形成され、ブラケット部材５５０の前側に第１ブラケット側結合部５５４および第２ブラケット側結合部５５５が形成されることで、第１ケース側結合部４２７（第２ケース側結合部４２８）および第１ブラケット側結合部５５４（第２ブラケット側結合部５５５）に対して容易にアクセスすることができる。そのため、ドライバーやニッパー等の工具を用いて、第１ケース側結合部４２７（第２ケース側結合部４２８）と第１ブラケット側結合部５５４（第２ブラケット側結合部５５５）とを分離し、ブラケット部材５５０から主基板ケース４１０を容易に取り外すことが可能になる。なお、主基板ケース４１０（ケース蓋４２１）の後側に第１ケース側結合部４２７および第２ケース側結合部４２８が形成され、ブラケット部材５５０の後側に第１ブラケット側結合部５５４および第２ブラケット側結合部５５５が形成されると、第１ケース側結合部４２７（第２ケース側結合部４２８）および第１ブラケット側結合部５５４（第２ブラケット側結合部５５５）に対してアクセスし難くなる。そのため、ドライバーやニッパー等の工具を用いて、第１ケース側結合部４２７（第２ケース側結合部４２８）と第１ブラケット側結合部５５４（第２ブラケット側結合部５５５）とを分離するための力を加えにくくなる。
【０１０９】
ブラケット部材５５０の上下端部に、係止爪部５５６が左方に突出して形成される。係止爪部５５６は、主基板ケース４１０のケース蓋４２１に係止するようになっている。ブラケット部材５５０の前壁部５５７の上下に、ブラケット側固定部５６１が前方に突出して形成される。ブラケット側固定部５６１は、ブラケット部材５５０が前述のケース保持位置に揺動すると、第１ベース部材５１０のベース側固定部５２１に重なるようになっている。図４６（Ａ）および図４６（Ｂ）に示すように、ブラケット側固定部５６１の中央に、挿通穴部５６２が形成される。挿通穴部５６２は、第１ベース部材５１０の固定穴部５２２と位置整合して丸穴状に形成され、ブラケット固定具５８０が挿通されるようになっている。挿通穴部５６２の内周部に、内側に突出するリブ５６３が９０度間隔で４つ形成される。４つのリブ５６３は、ブラケット固定具５８０の係合片部５８３に形成された４つの間隙部５８４に入り込んで、係合片部５８３に係止することができるようになっている。
【０１１０】
ベースカバー部材５７０は、図４７（Ａ）および図４７（Ｂ）に示すように、透明の樹脂材料を用いて、第２ベース部材５３０の前方を覆うことが可能な蓋状に形成される。ベースカバー部材５７０の上側に、上部カバー側結合部５７１が形成される。上部カバー側結合部５７１は、詳細な図示を省略するが、第２ベース部材５３０の上部ベース側結合部５３３と位置整合して有底円筒状に形成され、上側カバーかしめ部材（図示せず）の他端側が係合するようになっている。ベースカバー部材５７０の下側に、下部カバー側結合部５７２が形成される。下部カバー側結合部５７２は、詳細な図示を省略するが、第２ベース部材５３０の下部ベース側結合部５３４と位置整合して有底円筒状に形成され、下側カバーかしめ部材（図示せず）の他端側が係合するようになっている。
【０１１１】
上側カバーかしめ部材（図示せず）の一端側を第２ベース部材５３０の上部ベース側結合部５３３と係合させ、下側カバーかしめ部材（図示せず）の一端側を第２ベース部材５３０の下部ベース側結合部５３４と係合させた状態で、ベースカバー部材５７０を第２ベース部材５３０に重ねる。そうすると、上側カバーかしめ部材の他端側が上部カバー側結合部５７１と係合し、上側カバーかしめ部材を介して上部ベース側結合部５３３と上部カバー側結合部５７１とが結合する。また、下側カバーかしめ部材の他端側が下部カバー側結合部５７２と係合し、下側カバーかしめ部材を介して下部ベース側結合部５３４と下部カバー側結合部５７２とが結合する。これにより、ベースカバー部材５７０を第２ベース部材５３０に対して取り外しできないように結合させることができる。
【０１１２】
このようにして、ベースカバー部材５７０が第２ベース部材５３０の前方を覆うことで、第２ベース固定ネジ（図示せず）にアクセスできなくなるため、第２ベース部材５３０を筐体５の背板５ｅから一時的に取り外して、主制御装置３００をブラケット部材５５０ごと交換する不正行為を防止することができる。なお、第１ベース部材５１０の係止片部５１５が第２ベース部材５３０の係止溝部５３５に係止して、第２ベース部材５３０を筐体５の背板５ｅから取り外さないと、第１ベース部材５１０を筐体５の右側板５ｂから取り外すことができないようになっている。そのため、第１ベース部材５１０のみを筐体５の右側板５ｂから一時的に取り外して、主制御装置３００をブラケット部材５５０ごと交換する不正行為を防止することも可能である。
【０１１３】
第２ベース部材５３０を筐体５の背板５ｅから取り外すには、前扉２が筐体５の前面開口部を開いた状態で、ドライバー等の工具を用いてベースカバー部材５７０を突き破り、ベースカバー部材５７０に覆われた第２ベース固定ネジ（図示せず）を背板５ｅのネジ穴部（図示せず）から外す。このとき、第２ベース部材５３０およびベースカバー部材５７０が、筐体５の背板５ｅに前方（スロットマシン１の正面側）を向いて配置されることで、ドライバー等の工具を用いてベースカバー部材５７０を突き破り、第２ベース固定ネジに対して容易にアクセスすることができる。前扉２が筐体５の前面開口部を閉じた状態で、第２ベース固定ネジに対して不正にアクセスしようとしても、第２ベース部材５３０およびベースカバー部材５７０が筐体５の奥側の背板５ｅに配置されるため、ベースカバー部材５７０に強い力を加えて突き破ることは難しい。また仮に、第２ベース固定ネジに対する不正なアクセスが行われたとしても、前扉２が筐体５の前面開口部を開いた状態で、スロットマシン１の正面側からベースカバー部材５７０を視認することができ、第２ベース固定ネジに対する不正なアクセスを発見し易い。なお、第２ベース部材５３０およびベースカバー部材５７０が左右方向を向いて配置されると、ドライバー等の工具を筐体５の内部で取り扱う作業が煩雑になる。
【０１１４】
ブラケット固定具５８０は、図５１（Ａ）に示すように、係合部材５８１と、操作部材５９１とを有して構成される。係合部材５８１は、樹脂材料を用いて筒状に形成され、ブラケット部材５５０の挿通穴部５６２と、第１ベース部材５１０の固定穴部５２２とに挿通させることができるようになっている。係合部材５８１の一端側に、操作部材５９１の軸部５９３がスライド移動可能に係合する軸係合部５８２が形成される。係合部材５８１の他端側に、弾性変形可能な係合片部５８３が９０度間隔で４つ形成される。図５１（Ｂ）に示すように、４つの係合片部５８３同士の間に、スリット状の間隙部５８４が９０度間隔で４つ形成される。
【０１１５】
操作部材５９１は、図５１（Ａ）に示すように、樹脂材料を用いてピン形状に形成され、係合部材５８１と連結される。操作部材５９１の一端に、押す操作もしくは引く操作を行うことが可能な頭部５９２が形成される。操作部材５９１の中間部に、係合部材５８１の軸係合部５８２にスライド移動可能に係合する軸部５９３が形成される。これにより、操作部材５９１は、係合部材５８１に対して、操作部材５９１を押す操作に応じて係合部材５８１を弾性変形させて第１ベース部材５１０の固定穴部５２２と係合させることが可能な係合操作位置（図５０を参照）と、操作部材５９１を引く操作に応じた非係合操作位置（図４９を参照）とに相対移動可能に構成される。操作部材５９１の他端に、突起状の押圧部５９４が形成される。押圧部５９４は、操作部材５９１が係合操作位置に相対移動すると、係合片部５８３の先端部内側に当接し、係合片部５８３を外周側に向けて弾性変形させるようになっている。
【０１１６】
以上のように構成される基板ケース取付機構５００において、図３８に示すように、ブラケット部材５５０がケース保持位置に位置するときには、前扉２が筐体５の前面開口部を開いた状態で、筐体５の前面開口部からケース蓋４２１を介して主基板ケース４１０に収容された主制御基板３１０の表面側を視認することが可能である。これにより、主制御基板３１０の前面側に配設された、制御チップ３１２や情報表示ランプ３１３等における異常の有無を確認することができる。一方、図３９に示すように、ブラケット部材５５０がケース揺動位置に位置するときには、ブラケット部材５５０も透明であるため、前扉２が筐体５の前面開口部を開いた状態で、筐体５の前面開口部からブラケット部材５５０およびケース本体４１１を介して主基板ケース４１０に収容された主制御基板３１０の裏面側を視認することが可能である。これにより、主制御基板３１０の裏面側における異常の有無を確認することができる。このように、本実施形態によれば、主制御基板３１０の表面側だけでなく、主制御基板３１０の裏面側における異常の有無を容易に確認することができ、主制御基板３１０に対する不正行為の有無を容易に確認することが可能になる。
【０１１７】
なお、設定キーシリンダ３１６は、主基板ケース４１０における制御チップ３１２および情報表示ランプ３１３よりも前方の設定キー収容部４３１に収容される。これにより、制御チップ３１２および情報表示ランプ３１３の配置を知らない遊技者等は、前扉２が筐体５の前面開口部を開いた状態でも、設定キーシリンダ３１６によってスロットマシン１の正面側から制御チップ３１２や情報表示ランプ３１３等を視認し難くなる。一方、制御チップ３１２および情報表示ランプ３１３の配置を知り得る遊技場の管理者は、前扉２が筐体５の前面開口部を開いた状態で、主基板ケース４１０の左前方から設定キーシリンダ３１６を避けて制御チップ３１２や情報表示ランプ３１３等における異常の有無を確認することができる。
【０１１８】
また、主制御基板３１０の情報表示ランプ３１３は、主制御基板３１０の中心よりも上側に配置される。これにより、情報表示ランプ３１３の配置を知らない遊技者等は、前扉２が筐体５の前面開口部を開いた状態でも、スロットマシン１の左上方から情報表示ランプ３１３を視認しにくくなる。一方、情報表示ランプ３１３の配置を知り得る遊技場の管理者は、前扉２が筐体５の前面開口部を開いた状態で、主基板ケース４１０の左前方から（設定キーシリンダ３１６を避けて）情報表示ランプ３１３における異常の有無を確認することができる。主制御基板３１０の電気コネクタ３１４は、主制御基板３１０の上側または後側に配置される。これにより、電気コネクタ３１４と繋がるケーブルハーネス（図示せず）によって、主基板ケース４１０の前方側が遮られにくくなるため、主基板ケース４１０に収容された主制御基板３１０の制御チップ３１２や情報表示ランプ３１３等の視認性が妨げられるのを防止することができる。
【０１１９】
ブラケット部材５５０をケース保持位置に揺動させる場合、ブラケット固定具５８０を用いて、ブラケット部材５５０を第１ベース部材５１０に対して固定する。このときまず、ブラケット固定具５８０の係合部材５８１を、ブラケット部材５５０の挿通穴部５６２と、第１ベース部材５１０の固定穴部５２２とに挿通させる。そして、ブラケット固定具５８０の操作部材５９１（頭部５９２）に対して押す操作を行い、操作部材５９１を係合操作位置に相対移動させる。そうすると、図５０に示すように、操作部材５９１の押圧部５９４が、係合部材５８１の係合片部５８３の先端部内側に当接し、係合片部５８３を外周側に向けて弾性変形させる。これにより、係合部材５８１の各係合片部５８３が広がるように弾性変形して第１ベース部材５１０の固定穴部５２２と係合し、ブラケット部材５５０のブラケット側固定部５６１と第１ベース部材５１０のベース側固定部５２１とが結合されて、ブラケット部材５５０が第１ベース部材５１０に対して固定される。
【０１２０】
一方、ブラケット部材５５０をケース揺動位置に揺動させる場合、ブラケット固定具５８０を用いて、ブラケット部材５５０を第１ベース部材５１０に対して揺動可能にする。このとき、ブラケット固定具５８０の操作部材５９１（頭部５９２）に対して引く操作を行い、操作部材５９１を非係合操作位置に相対移動させる。そうすると、図４９に示すように、操作部材５９１の押圧部５９４が係合部材５８１の係合片部５８３から離れる方向に移動して、係合片部５８３が弾性変形する前の状態に戻る。これにより、係合部材５８１の各係合片部５８３と第１ベース部材５１０の固定穴部５２２との係合が解除され、ブラケット部材５５０が第１ベース部材５１０に対して揺動可能になる。
【０１２１】
ブラケット部材５５０をケース揺動位置に揺動させる際、ブラケット固定具５８０は、図４８および図４９に示すように、ブラケット部材５５０の挿通穴部５６２に挿通されて仮止めされた状態となる。このとき、挿通穴部５６２のリブ５６３が、係合部材５８１の係合片部５８３の基端部に近接して、ブラケット固定具５８０が挿通穴部５６２から抜けて出るのを規制する。また仮に、挿通穴部５６２のリブ５６３が、係合片部５８３同士の間隙部５８４に入り込んだとしても、当該間隙部５８４を形成するいずれかの係合片部５８３に係止して、ブラケット固定具５８０が挿通穴部５６２から抜けて出るのを防止するようになっている。このように、本実施形態によれば、ブラケット部材５５０の挿通穴部５６２に対して仮止めされた状態のブラケット固定具５８０が抜け落ちて、メダル払出装置５０のホッパー５１や補助収納庫５３に入り込む等の不具合が生じることがなく、ブラケット固定具５８０の紛失を防止することが可能である。
【０１２２】
＜画像表示装置の構成＞
次に、本実施形態に係る画像表示装置６００の構成について図５２〜図６６を参照して説明する。画像表示装置６００は、所定の画像を表示画面６１１に表示可能な液晶パネル６１０と、液晶パネル６１０を保持するパネル保持部材６２０とを有して構成される。画像表示装置６００は、前扉２の後面側に固設された支持フレーム６５０（図６０を参照）に取り付けられる。前述したように、画像表示装置６００の下側に、リール窓Ｗが設けられる。このリール窓Ｗは、液晶パネル６１０一部（下側の部分）にバックライトを配置しない領域を設けることで形成される。また、パネル保持部材６２０においてリール窓Ｗと位置整合する部分に開口部が形成され、リール窓Ｗを通じて３個のリール１０２ａ，１０２ｂ，１０２ｃを視認可能に構成される。なお、図５３、図６０、および図６５において、画像表示装置６００のリール窓Ｗの図示を省略している。
【０１２３】
パネル保持部材６２０は、図５２および図６０に示すように、樹脂材料を用いて枠状に形成される。パネル保持部材６２０は、表示画面６１１が前方を向くように液晶パネル６１０を保持する。なお、パネル保持部材６２０の後面側に、副制御装置８０、枠部材６４０、中継基板カバー６４６に覆われた中継基板６４５等が取り付けられ、画像表示装置６００がユニット化されている。枠部材６４０は、樹脂材料を用いて形成され、リール窓Ｗを介してスロットマシン１の内部構造が視認されないように、各リール１０２ａ〜１０２ｃの前方周囲を覆うようになっている。
【０１２４】
各リール１０２ａ〜１０２ｃの前方に近接配置されるパネル保持部材６２０および枠部材６４０は、従来の白色に対して、各リール１０２ａ〜１０２ｃの視認性（明るさ）に影響を及ぼさない程度に明度を低くした灰色に着色されている。これにより、パネル保持部材６２０および枠部材６４０についた汚れが見立たなくなり、パネル保持部材６２０および枠部材６４０を再利用し易くなる。主制御装置３００の主基板ケース４１０や副制御装置８０の副基板ケース（図示せず）等を除いた、中身を確認する頻度が低いケースカバー部材（例えば、ランプ基板カバー２６６や中継基板カバー６４６等）は、従来の無色透明に対して、視認性を有する範囲で（例えば、スモーク色に）着色された半透明になっている。これにより、ケースカバー部材（例えば、ランプ基板カバー２６６や中継基板カバー６４６等）についた汚れが見立たなくなり、当該ケースカバー部材を再利用し易くなる。
【０１２５】
図５６および図５７に示すように、パネル保持部材６２０の左上端部に、左アーム部６２１ａが形成される。左アーム部６２１ａは、パネル保持部材６２０の左上端部から上方に突出して形成される。左アーム部６２１ａの上部に、左揺動軸部６２２ａが形成される。左揺動軸部６２２ａは、左右方向に延びる軸状に形成され、支持フレーム６５０の左支持部６５１ａに回転可能に支持される。
【０１２６】
図５４および図５５に示すように、パネル保持部材６２０の右上端部に、右アーム部６２１ｂが形成される。右アーム部６２１ｂは、パネル保持部材６２０の右上端部から上方に突出して形成される。右アーム部６２１ｂの上部に、右揺動軸部６２２ｂが形成される。右揺動軸部６２２ｂは、左右方向に延びる軸状に形成され、支持フレーム６５０の右支持部６５１ｂに回転可能に支持される。
【０１２７】
図５９に示すように、パネル保持部材６２０の左下部に、左ロック部６２６ａが形成される。左ロック部６２６ａの左側に、左ロック部材６７０ａが回転可能に取り付けられる左ロック部材取付部６２７ａが形成される。図６２に示すように、左ロック部６２６ａの右前側に、支持フレーム６５０の左ガイドピン６５８ａが係合可能な左ガイドピン係合穴部６２８ａが形成される。左ロック部６２６ａの前側における左ガイドピン係合穴部６２８ａの左右両側の部分に、左ガイドピン６５８ａの先端部を受容可能な左ガイドピン受容部６２９ａが左右方向に延びる長穴状に形成される。
【０１２８】
図５８に示すように、パネル保持部材６２０の右下部に、右ロック部６２６ｂが形成される。右ロック部６２６ｂの右側に、右ロック部材６７０ｂが回転可能に取り付けられる右ロック部材取付部６２７ｂが形成される。図６１に示すように、右ロック部６２６ｂの左前側に、支持フレーム６５０の右ガイドピン６５８ｂが係合可能な右ガイドピン係合穴部６２８ｂが形成される。右ロック部６２６ｂの前側における右ガイドピン係合穴部６２８ｂの左右両側の部分に、右ガイドピン６５８ｂの先端部を受容可能な右ガイドピン受容部６２９ｂが左右方向に延びる長穴状に形成される。
【０１２９】
支持フレーム６５０は、図６０に示すように、パネル保持部材６２０の外周形状に合わせた枠状に形成される。支持フレーム６５０は、ネジ等の固定部材（図示せず）を用いて、前扉２の後面側に取り付け固定される。支持フレーム６５０の左上端部に、左支持部６５１ａが形成され、支持フレーム６５０の右上端部に、右支持部６５１ｂが形成される。左支持部６５１ａは、図５７に示すように、パネル保持部材６２０の左揺動軸部６２２ａを回転可能に且つ左右方向に変位可能に支持する。右支持部６５１ｂは、図５５に示すように、パネル保持部材６２０の右揺動軸部６２２ｂを回転可能に且つ左右方向に変位可能に支持する。これにより、左支持部６５１ａおよび右支持部６５１ｂは、画像表示装置６００を、フロントカバー６０３（図５３を参照）の後側で表示画面６１１が前方を向く保持位置（図５２を参照）と、保持位置から後上方に揺動した揺動位置（図５３を参照）とに揺動可能に支持することができる。また、画像表示装置６００は、左支持部６５１ａおよび右支持部６５１ｂに支持された状態のまま、左右方向にずらすことができるようになっている。
【０１３０】
なお、フロントカバー６０３は、図５３に示すように、透明の樹脂材料を用いて板状に形成され、前扉２の中央開口部を塞いで前扉２の後面側に取り付けられる。これにより、画像表示装置６００の表示画面６１１は、フロントカバー６０３の後側に配置されて、フロントカバー６０３を通じて前方から視認可能に構成される。
【０１３１】
図５７に示すように、左支持部６５１ａの上部に、支持固定部材取付穴部６５２ａが形成される。支持固定部材取付穴部６５２ａには、左支持固定部材６６０ａを左支持部６５１ａに取り付けるための左固定ネジ６６５ａ（図５６を参照）が螺合されるようになっている。左支持固定部材６６０ａは、図６４に示すように、樹脂材料を用いて、湾曲板状に形成される。左支持固定部材６６０ａの上部に、左固定ネジ６６５ａが挿通されるネジ挿通穴部６６１ａが形成される。左固定ネジ６６５ａをネジ挿通穴部６６１ａに挿通させて支持固定部材取付穴部６５２ａにネジ固定することにより、左支持固定部材６６０ａが、パネル保持部材６２０の左揺動軸部６２２ａを部分的に覆う状態で、左支持部６５１ａに取り付けられる。左支持固定部材６６０ａの右後側に、左支持部６５１ａに支持された左揺動軸部６２２ａが後方に変位するのを規制する左揺動軸押さえ部６６２ａが形成される。左支持固定部材６６０ａの左端部に、左揺動軸部６２２ａおよび左アーム部６２１ａが左方に変位するのを規制する左アーム押さえ部６６３ａが形成される。
【０１３２】
図５５に示すように、右支持部６５１ｂの上部に、支持固定部材取付穴部６５２ｂが形成される。支持固定部材取付穴部６５２ｂには、右支持固定部材６６０ｂを右支持部６５１ｂに取り付けるための右固定ネジ６６５ｂ（図５４を参照）が螺合されるようになっている。右支持固定部材６６０ｂは、図６３に示すように、樹脂材料を用いて、湾曲板状に形成される。右支持固定部材６６０ｂの上部に、右固定ネジ６６５ｂが挿通されるネジ挿通穴部６６１ｂが形成される。右固定ネジ６６５ｂをネジ挿通穴部６６１ｂに挿通させて支持固定部材取付穴部６５２ｂにネジ固定することにより、右支持固定部材６６０ｂが、パネル保持部材６２０の右揺動軸部６２２ｂを部分的に覆う状態で、右支持部６５１ｂに取り付けられる。右支持固定部材６６０ｂの左後側に、右支持部６５１ｂに支持された右揺動軸部６２２ｂが後方に変位するのを規制する右揺動軸押さえ部６６２ｂが形成される。右支持固定部材６６０ｂの右端部に、右揺動軸部６２２ｂおよび右アーム部６２１ｂが右方に変位するのを規制する右アーム押さえ部６６３ｂが形成される。
【０１３３】
図６０および図６２に示すように、支持フレーム６５０の左下部に、左ロック部材６７０ａが係合可能な左ロック部材係合部６５６ａが形成される。左ロック部材係合部６５６ａの中央に、左ロック部材６７０ａの胴部を挿通させることが可能な左ロック部材挿通穴６５７ａが形成される。左ロック部材係合部６５６ａの右端部に、左ガイドピン６５８ａが後方に突出して形成される。左ガイドピン６５８ａは、画像表示装置６００が前述の保持位置に揺動すると、パネル保持部材６２０の左ガイドピン係合穴部６２８ａと係合するようになっている。また、図６２に示すように、画像表示装置６００が保持位置から少しだけ（後上方に）揺動した作業位置に位置すると、左ガイドピン６５８ａの先端部がパネル保持部材６２０の左ガイドピン受容部６２９ａに受容されるようになっている。これにより、画像表示装置６００が左右方向に所定の規制変位量だけずれると、左ガイドピン６５８ａの先端部が左ガイドピン受容部６２９ａの左端部もしくは右端部に当接し、所定の規制変位量を超えた画像表示装置６００の変位を規制するようになっている。左ロック部材６７０ａは、詳細な図示を省略するが、樹脂材料を用いて形成され、基端部に設けられたロック操作部６７１ａの回転操作により、先端部に設けられたロック片部６７２ａが左ロック部材係合部６５６ａと係合するようになっている。
【０１３４】
図６０および図６１に示すように、支持フレーム６５０の右下部に、右ロック部材６７０ｂが係合可能な右ロック部材係合部６５６ｂが形成される。右ロック部材係合部６５６ｂの中央に、右ロック部材６７０ｂの胴部を挿通させることが可能な右ロック部材挿通穴６５７ｂが形成される。右ロック部材係合部６５６ｂの左端部に、右ガイドピン６５８ｂが後方に突出して形成される。右ガイドピン６５８ｂは、画像表示装置６００が前述の保持位置に揺動すると、パネル保持部材６２０の右ガイドピン係合穴部６２８ｂと係合するようになっている。また、図６１に示すように、画像表示装置６００が保持位置から少しだけ（後上方に）揺動した作業位置に位置すると、右ガイドピン６５８ｂの先端部がパネル保持部材６２０の右ガイドピン受容部６２９ｂに受容されるようになっている。これにより、画像表示装置６００が左右方向に所定の規制変位量だけずれると、右ガイドピン６５８ｂの先端部が右ガイドピン受容部６２９ｂの左端部もしくは右端部に当接し、所定の規制変位量を超えた画像表示装置６００の変位を規制するようになっている。右ロック部材６７０ｂは、詳細な図示を省略するが、樹脂材料を用いて形成され、基端部に設けられたロック操作部６７１ｂの回転操作により、先端部に設けられたロック片部６７２ｂが右ロック部材係合部６５６ｂと係合するようになっている。
【０１３５】
以上のように構成される画像表示装置６００を、前扉２の後面側に取り付け固定するには、まず、パネル保持部材６２０の左揺動軸部６２２ａおよび右揺動軸部６２２ｂを、支持フレーム６５０の左支持部６５１ａおよび右支持部６５１ｂに支持させる。次に、左固定ネジ６６５ａを用いて左支持固定部材６６０ａを左支持部６５１ａに取り付け、右固定ネジ６６５ｂを用いて右支持固定部材６６０ｂを右支持部６５１ｂに取り付ける。これにより、画像表示装置６００は、前扉２の後面側に固設された支持フレーム６５０の左支持部６５１ａおよび右支持部６５１ｂに、保持位置と揺動位置の間で揺動可能に支持される。
【０１３６】
次に、画像表示装置６００を保持位置に揺動させる。このとき、左ロック部材６７０ａが取り付けられたパネル保持部材６２０の左ロック部６２６ａが支持フレーム６５０の左ロック部材係合部６５６ａに重なり、パネル保持部材６２０の左ガイドピン係合穴部６２８ａに支持フレーム６５０の左ガイドピン６５８ａが係合する。また、右ロック部材６７０ｂが取り付けられたパネル保持部材６２０の右ロック部６２６ｂが支持フレーム６５０の右ロック部材係合部６５６ｂに重なり、パネル保持部材６２０の右ガイドピン係合穴部６２８ｂに支持フレーム６５０の右ガイドピン６５８ｂが係合する。
【０１３７】
そして、左ロック部材６７０ａのロック操作部６７１ａを（後方から見て）時計回りに回転操作することにより、左ロック部材６７０ａのロック片部６７２ａを支持フレーム６５０の左ロック部材係合部６５６ａと係合させ、右ロック部材６７０ｂのロック操作部６７１ｂを（後方から見て）時計回りに回転操作することにより、右ロック部材６７０ｂのロック片部６７２ｂを支持フレーム６５０の右ロック部材係合部６５６ｂと係合させる。これにより、画像表示装置６００が前扉２の後面側に取り付け固定される。
【０１３８】
この状態で、左ロック部材６７０ａのロック操作部６７１ａを（後方から見て）反時計回りに回転操作して、左ロック部材６７０ａのロック片部６７２ａと左ロック部材係合部６５６ａとの係合を解除し、右ロック部材６７０ｂのロック操作部６７１ｂを（後方から見て）反時計回りに回転操作して、右ロック部材６７０ｂのロック片部６７２ｂと右ロック部材係合部６５６ｂとの係合を解除することにより、画像表示装置６００を一時的に保持位置から揺動位置まで揺動させることが可能である。これにより、画像表示装置６００を一時的に保持位置から揺動位置に向けて（後上方に）揺動させることで、画像表示装置６００とフロントカバー６０３との間の部分にアクセスすることができ、例えば、画像表示装置６００の表示画面６１１やフロントカバー６０３の後面側の清掃を行うことができる。
【０１３９】
なお、前扉２に設けられた演出装置のうち、左右の上部スピーカーユニット１２ａ，１２ｂ、下部スピーカーユニット３２、およびウーファーユニット３３等は、ネジ等の固定部材（図示せず）を用いて前扉２の後側から取り付け固定される。前扉２に設けられた演出装置のうち、左右の上サイドランプ１４ａ，１４ｂ、および左右の下サイドランプ１５ａ，１５ｂ等は、前扉２の前面側に取り付けられた状態で、ネジ等の固定部材を用いて前扉２の後側から固定される。
【０１４０】
例えば、図６５に示すように、右側下サイドランプ１５ｂは、前扉２の右側に形成された右側下サイドランプ取付部６０２の前面側に取り付けられる。右側下サイドランプ１５ｂは、サイドランプ固定ネジ１７を前扉２の後側からネジ挿通穴（図示せず）に挿通させて、右側下サイドランプ１５ｂに形成されたネジ穴（図示せず）にネジ固定することにより、右側下サイドランプ取付部６０２の前面側に取り付け固定される。また、右側サイドランプ装飾部材１６ｂも、装飾部材固定ネジ１８を前扉２の後側からネジ挿通穴（図示せず）に挿通させて、右側サイドランプ装飾部材１６ｂに形成されたネジ穴（図示せず）にネジ固定することにより、右側下サイドランプ取付部６０２の前面側に取り付け固定される。
【０１４１】
前扉２の後面側に取り付け固定された画像表示装置６００は、図５２に示すように、サイドランプ固定ネジ１７や装飾部材固定ネジ１８の一部と被さってしまう。本実施形態において、画像表示装置６００は、支持フレーム６５０の左支持部６５１ａおよび右支持部６５１ｂに支持された状態のまま、左右方向にずらすことができるようになっている。画像表示装置６００を左右方向にずらすには、まず、前述したように、左ロック部材６７０ａのロック片部６７２ａと左ロック部材係合部６５６ａとの係合を解除し、右ロック部材６７０ｂのロック片部６７２ｂと右ロック部材係合部６５６ｂとの係合を解除する。次に、左支持固定部材６６０ａを左支持部６５１ａから取り外し、右支持固定部材６６０ｂを右支持部６５１ｂから取り外す。
【０１４２】
そして、画像表示装置６００を保持位置から作業位置まで（少しだけ）揺動させた状態で、左方向にずらすようにすれば、図６６に示すように、画像表示装置６００が被さっていたサイドランプ固定ネジ１７や装飾部材固定ネジ１８の一部にアクセスすることが可能になる。これにより、ドライバー等の工具を用いてサイドランプ固定ネジ１７を前扉２の後面側（ネジ挿通穴）から外すことが可能になり、右側下サイドランプ１５ｂを前扉２の右側下サイドランプ取付部６０２から取り外すことができる。同様に、装飾部材固定ネジ１８を前扉２の後面側（ネジ挿通穴）から外すことが可能になり、右側サイドランプ装飾部材１６ｂを右側下サイドランプ取付部６０２から取り外すことができる。さらに、サイドランプ固定ネジ１７を前扉２の後面側からネジ挿通穴に挿通させることが可能なため、取り外したものとは別の（もしくは同一の）右側下サイドランプ１５ｂを、右側下サイドランプ取付部６０２の前面側に取り付けることができる。同様に、装飾部材固定ネジ１８を前扉２の後面側からネジ挿通穴に挿通させることが可能なため、取り外したものとは別の（もしくは同一の）右側サイドランプ装飾部材１６ｂを、右側下サイドランプ取付部６０２の前面側に取り付けることができる。
【０１４３】
そのため、本実施形態によれば、画像表示装置６００を左右方向にずらすだけで、一時的に多数の部品を前扉２から取り外すことなく、前扉２に取り付けられた右側下サイドランプ１５ｂや右側サイドランプ装飾部材１６ｂ等を容易に着脱交換することができる。なお、画像表示装置６００を保持位置から作業位置まで（少しだけ）揺動させた状態で、右方向にずらすようにすれば、上述した右側下サイドランプ１５ｂや右側サイドランプ装飾部材１６ｂの場合と同様に、前扉２に取り付けられた左側下サイドランプ１５ａや左側サイドランプ装飾部材１６ａ等を容易に着脱交換することができる。
【０１４４】
また、画像表示装置６００が保持位置から作業位置まで揺動すると、支持フレーム６５０の左ガイドピン６５８ａがパネル保持部材６２０の左ガイドピン係合穴部６２８ａから抜けて左ガイドピン受容部６２９ａに受容され、支持フレーム６５０の右ガイドピン６５８ｂがパネル保持部材６２０の右ガイドピン係合穴部６２８ｂから抜けて右ガイドピン受容部６２９ｂに受容されるようになっている。この状態で、画像表示装置６００を左右方向にずらすようにすれば、左ガイドピン受容部６２９ａおよび右ガイドピン受容部６２９ｂが左ガイドピン６５８ａおよび右ガイドピン６５８ｂにガイドされて左右方向に相対移動する。そして、画像表示装置６００が左右方向に所定の規制変位量だけずれると、左ガイドピン受容部６２９ａおよび右ガイドピン受容部６２９ｂの左端部もしくは右端部に、左ガイドピン６５８ａおよび右ガイドピン６５８ｂが当接する。そのため、画像表示装置６００を所定の規制変位量だけ左右方向に容易にずらすことができる。
【０１４５】
＜ＢＥＴスイッチユニットの構成＞
次に、本実施形態に係るＢＥＴスイッチユニット７００の構成について図６７〜図７７を参照して説明する。ＢＥＴスイッチユニット７００は、図６７〜図７１に示すように、第１操作部材７１０と、第２操作部材７２０と、第３操作部材７３０と、ボタン収容部材７４０と、接点ユニット部７６０と、操作検出センサ７８０と、照光ランプ基板７８５と、ボタンカバー部材７９０と、補助カバー部材８１０とを有して構成される。
【０１４６】
第１操作部材７１０は、図６９および図７３に示すように、樹脂材料を用いて筒状に形成され、ボタン収容部材７４０の第１ボタン収容部７４１に上下方向にスライド移動自在に収容される。第１操作部材７１０の上端部に、透光性を有する円板状のＭＡＸ‐ＢＥＴボタン部７１１が結合されており、遊技者によって外部からＭＡＸ‐ＢＥＴボタン部７１１を押す操作が行われる。第１操作部材７１０の外周部に、第１操作部材７１０の延伸方向に沿って上下に延びる摺接リブ７１２が形成される。摺接リブ７１２は、第１ボタン収容部７４１の摺接ガイド部７４９に摺接可能に構成される。第１操作部材７１０の下端部前側に、板状の検出片部７１３が第１操作部材７１０の下側に突出して形成されており、ＭＡＸ‐ＢＥＴボタン部７１１を押す操作が行われたときに、この検出片部７１３が操作検出センサ７８０によって検出されるようになっている。また、第１操作部材７１０の下端部の左右２箇所に、断面視三角形状の爪部７１４が第１操作部材７１０の他端側（下側）に突出して形成されており、第１操作部材７１０が第１ボタン収容部７４１から抜けて出るのを防止するようになっている。
【０１４７】
第２操作部材７２０は、図７０および図７１に示すように、樹脂材料を用いて傘状に形成され、ボタン収容部材７４０の第２ボタン収容部７４３に上下方向にスライド移動自在に収容される。第２操作部材７２０の上端部に、平板状の１‐ＢＥＴボタン部７２１が形成されており、遊技者によって外部から１‐ＢＥＴボタン部７２１を押す操作が行われる。第２操作部材７２０の下側に、棒状の当接部７２３が形成されており、１‐ＢＥＴボタン部７２１を押す操作が行われたときに、この当接部７２３が接点ユニット部７６０の第１接触子７６７に当接するようになっている。また、第２操作部材７２０の下側外周部に、第２操作部材７２０が第２ボタン収容部７４３から抜けて出るのを防止するフランジ部７２２が形成される。
【０１４８】
第３操作部材７３０は、図７０および図７１に示すように、樹脂材料を用いて傘状に形成され、ボタン収容部材７４０の第３ボタン収容部７４５に上下方向にスライド移動自在に収容される。第３操作部材７３０の上端部に、平板状の精算ボタン部７３１が形成されており、遊技者によって外部から精算ボタン部７３１を押す操作が行われる。第３操作部材７３０の下側に、棒状の当接部７３３が形成されており、精算ボタン部７３１を押す操作が行われたときに、この当接部７３３が接点ユニット部７６０の第２接触子７６８に当接するようになっている。第３操作部材７３０の下側外周部に、第３操作部材７３０が第３ボタン収容部７４５から抜けて出るのを防止するフランジ部７３２が形成される。
【０１４９】
ボタン収容部材７４０は、図６９および図７１に示すように、樹脂材料を用いて箱状に形成される。ボタン収容部材７４０に、第１ボタン収容部７４１と、第２ボタン収容部７４３と、第３ボタン収容部７４５とが三角形状に並んで形成される。言い換えると、第１ボタン収容部７４１がボタン収容部材７４０の前側に形成され、第３ボタン収容部７４５と第２ボタン収容部７４３とがボタン収容部材７４０の後側に左右に（この順で）並んで形成される。
【０１５０】
第１ボタン収容部７４１の内部に第１操作部材７１０が収容され、第１ボタン収容部７４１の上端部に開口形成された第１ボタン露出部７４２を介して、ＭＡＸ‐ＢＥＴボタン部７１１が外部に露出するようになっている（図６７も参照）。第１ボタン収容部７４１の内周部に、第１操作部材７１０の摺接リブ７１２が摺接可能な摺接ガイド部７４９が上下方向に延びて形成される。これにより、第１ボタン収容部７４１は、第１ボタン露出部７４２においてＭＡＸ‐ＢＥＴボタン部７１１を外部に露出させた状態で、ＭＡＸ‐ＢＥＴボタン部７１１が押された操作状態の操作位置と、ＭＡＸ‐ＢＥＴボタン部７１１が非操作状態の非操作位置とに、第１操作部材７１０を上下方向にスライド移動可能に収容保持する。なお、第１操作部材７１０が操作位置に位置すると、ＭＡＸ‐ＢＥＴボタン部７１１の外周部が第１ボタン収容部７４１の内側の段差部７４８に当接し、第１操作部材７１０が非操作位置に位置すると、第１操作部材７１０の爪部７１４が第１ボタン収容部７４１の下側に形成された隔壁部７５１に当接するようになっている。
【０１５１】
図６９に示すように、第１ボタン収容部７４１の内部に、第１操作部材７１０とともに第１付勢バネ７１５が収容される。第１付勢バネ７１５は、圧縮コイルバネを用いて構成され、第１操作部材７１０が非操作位置に位置するように付勢力を加える。第１ボタン収容部７４１の下側に隔壁部７５１が形成され、隔壁部７５１を介した第１ボタン収容部７４１の下方に基板収容部７５２が形成される。
【０１５２】
基板収容部７５２は、照光ランプ基板７８５を収容保持する。また、基板収容部７５２の左右の内周部近傍に、第１操作部材７１０の爪部７１４が配置されるようになっている。図７４に示すように、隔壁部７５１の左右に、第１操作部材７１０の爪部７１４が基板収容部７５２に向けて挿通される爪挿通部７５４が形成される。隔壁部７５１の中央部に、照光ランプ基板７８５の照光ＬＥＤランプ７８６を第１ボタン収容部７４１の内部側に露出させるランプ穴部７５５が形成される。隔壁部７５１におけるランプ穴部７５５の近傍に、照光ランプ基板７８５を基板収容部７５２で収容保持するための位置決めピン７５３が基板収容部７５２の内部側（下側）に突出して形成される。基板収容部７５２の左右の内周部に、上下方向、すなわち第１操作部材７１０の（操作位置と非操作位置との間の）スライド移動方向に沿って延びるガイドリブ７５６が形成される（図７２も参照）。ガイドリブ７５６は、第１操作部材７１０の爪部７１４の側部と対向して近接するように配置され、第１操作部材７１０が設計的な位置から左右方向に傾斜してずれると、このガイドリブ７５６に爪部７１４の側端部が当接するようになっている。
【０１５３】
また、図７１に示すように、第１ボタン収容部７４１の下端部の前側に、第１操作部材７１０の検出片部７１３が挿通される検出片露出部７５７が形成される。第１ボタン収容部７４１の外周部に、ボタンカバー部材７９０の係止穴部７９２に係止可能な係止爪部７５８が形成される。
【０１５４】
第２ボタン収容部７４３の内部に第２操作部材７２０が収容され、第２ボタン収容部７４３の上端部に開口形成された第２ボタン露出部７４４を介して、１‐ＢＥＴボタン部７２１が外部に露出するようになっている（図６７も参照）。第２ボタン収容部７４３の内周部における第２ボタン露出部７４４の近傍に、第２操作部材７２０の外周部に摺接可能な摺接リブ７４４ａ（図６９を参照）が上下方向に延びて形成される。これにより、第２ボタン収容部７４３は、第２ボタン露出部７４４において１‐ＢＥＴボタン部７２１を外部に露出させた状態で、１‐ＢＥＴボタン部７２１が押された操作状態の操作位置と、１‐ＢＥＴボタン部７２１が非操作状態の非操作位置とに、第２操作部材７２０を上下方向にスライド移動可能に収容保持する。なお、第２操作部材７２０が操作位置に位置すると、第２操作部材７２０の当接部７２３が接点ユニット部７６０の第１接触子７６７に当接し、第２操作部材７２０が非操作位置に位置すると、第２操作部材７２０のフランジ部７２２が第２ボタン収容部７４３の内側の段差部に当接するようになっている。
【０１５５】
図７０および図７１に示すように、第２ボタン収容部７４３の内部に、第２操作部材７２０とともに第２付勢バネ７２５が収容される。第２付勢バネ７２５は、圧縮コイルバネを用いて構成され、第２操作部材７２０が非操作位置に位置するように付勢力を加える。
【０１５６】
第３ボタン収容部７４５の内部に第３操作部材７３０が収容され、第３ボタン収容部７４５の上端部に開口形成された第３ボタン露出部７４６を介して、精算ボタン部７３１が外部に露出するようになっている（図６７も参照）。第３ボタン収容部７４５の内周部における第３ボタン露出部７４６の近傍に、第３操作部材７３０の外周部に摺接可能な摺接リブ７４６ａ（図６９を参照）が上下方向に延びて形成される。これにより、第３ボタン収容部７４５は、第３ボタン露出部７４６において精算ボタン部７３１を外部に露出させた状態で、精算ボタン部７３１が押された操作状態の操作位置と、精算ボタン部７３１が非操作状態の非操作位置とに、第３操作部材７３０を上下方向にスライド移動可能に収容保持する。なお、第３操作部材７３０が操作位置に位置すると、第３操作部材７３０の当接部７３３が接点ユニット部７６０の第２接触子７６８に当接し、第３操作部材７３０が非操作位置に位置すると、第３操作部材７３０のフランジ部７３２が第３ボタン収容部７４５の内側の段差部に当接するようになっている。
【０１５７】
図７０および図７１に示すように、第３ボタン収容部７４５の内部に、第３操作部材７３０とともに第３付勢バネ７３５が収容される。第３付勢バネ７３５は、圧縮コイルバネを用いて構成され、第３操作部材７３０が非操作位置に位置するように付勢力を加える。第２ボタン収容部７４３および第３ボタン収容部７４５の下端部には開口部（図示せず）が形成され、この開口部を覆うように接点ユニット部７６０が取り付けられる。第２ボタン収容部７４３および第３ボタン収容部７４５の外周部に、接点ユニット固定穴部７４７が形成される。接点ユニット固定穴部７４７には、接点ユニット部７６０を第２ボタン収容部７４３および第３ボタン収容部７４５の下側に取り付けるための接点ユニット固定ネジ７７９が螺合されるようになっている。第２ボタン収容部７４３と第３ボタン収容部７４５との間に、カバー固定ボス部７５９が形成される。カバー固定ボス部７５９には、ボタンカバー部材７９０をボタン収容部材７４０の下側に取り付けるためのボタンカバー固定ネジ７９９が螺合されるようになっている。
【０１５８】
接点ユニット部７６０は、図７０および図７１に示すように、スイッチ基板７６１と、スイッチ部材７６６と、第１スイッチ基板収容部材７７１と、第２スイッチ基板収容部材７７６とを有して構成される。スイッチ基板７６１は、スイッチ部材７６６とともに第１スイッチ基板収容部材７７１および第２スイッチ基板収容部材７７６の内部に収容される。スイッチ基板７６１の上面側には所定のスイッチ回路が設けられ、スイッチ基板７６１の下面側には主制御装置３００と電気的に接続されるスイッチ用コネクタ７６２が配設される。なお、スイッチ基板７６１の中央部は、ボタン収容部材７４０のカバー固定ボス部７５９が挿通可能な切り欠き部を有している。
【０１５９】
スイッチ部材７６６は、弾性変形可能な材料を用いて、第１接触子７６７および第２接触子７６８を有する板状に形成される。スイッチ部材７６６は、スイッチ基板７６１の上面側に配置されて第１スイッチ基板収容部材７７１および第２スイッチ基板収容部材７７６の内部に収容される。第２操作部材７２０の１‐ＢＥＴボタン部７２１が下方に押されて、第２操作部材７２０の当接部７２３が第１接触子７６７に当接すると、第１接触子７６７が弾性変形してスイッチ部材７６６のスイッチ回路に当接する。スイッチ部材７６６は、第１接触子７６７がスイッチ回路に当接すると、第２操作部材７２０の１‐ＢＥＴボタン部７２１に対する操作検出信号を主制御装置３００へ出力する。第３操作部材７３０の精算ボタン部７３１が下方に押されて、第３操作部材７３０の当接部７３３が第２接触子７６８に当接すると、第２接触子７６８が弾性変形してスイッチ部材７６６のスイッチ回路に当接する。スイッチ部材７６６は、第２接触子７６８がスイッチ回路に当接すると、第３操作部材７３０の精算ボタン部７３１に対する操作検出信号を主制御装置３００へ出力する。なお、スイッチ部材７６６の中央部は、ボタン収容部材７４０のカバー固定ボス部７５９が挿通可能な切り欠き部を有している。
【０１６０】
第１スイッチ基板収容部材７７１は、樹脂材料を用いて、下方に開口部を有してスイッチ基板７６１およびスイッチ部材７６６の上方を覆う箱状に形成される。第１スイッチ基板収容部材７７１の天井部に、第２操作部材７２０の当接部７２３が挿通されるベットボタン用挿通穴７７２と、第３操作部材７３０の当接部７３３が挿通される精算ボタン用挿通穴７７３とが形成される。なお、スイッチ部材７６６の中央部（天井部）は、ボタン収容部材７４０のカバー固定ボス部７５９が挿通可能な開口部を有している。第１スイッチ基板収容部材７７１の天井部の左右前側に、接点ユニット固定ネジ７７９が挿通されるネジ挿通穴部７７４が形成される。
【０１６１】
第２スイッチ基板収容部材７７６は、樹脂材料を用いて、スイッチ基板７６１の下面側を覆う板状に形成され、第１スイッチ基板収容部材７７１の下部に結合される。第２スイッチ基板収容部材７７６に、スイッチ基板７６１のスイッチ用コネクタ７６２が挿通されるコネクタ挿通穴部７７７と、ボタンカバー固定ネジ７９９が挿通されるネジ挿通穴部７７８が形成される。
【０１６２】
操作検出センサ７８０は、第１操作部材７１０の検出片部７１３を検出可能なフォトセンサを用いて構成される。操作検出センサ７８０は、図７０および図７１に示すように、ボタンカバー部材７９０のセンサ取付部７９５に取り付けられ、主制御装置３００と電気的に接続される。操作検出センサ７８０は、ＭＡＸ‐ＢＥＴボタン部７１１が下方に押されて操作位置に移動した第１操作部材７１０の検出片部７１３を検出し、第１操作部材７１０のＭＡＸ‐ＢＥＴボタン部７１１に対する操作検出信号を主制御装置３００へ出力する。操作検出センサ７８０の下面側に、センサ用コネクタ７８１が配設される。センサ用コネクタ７８１は、主制御装置３００に繋がるセンサケーブル（図示せず）のコネクタと嵌合接続されるようになっている。操作検出センサ７８０の側部に、ボタンカバー部材７９０のセンサ固定ピン７９６と係合可能なセンサ固定穴部７８２が形成される。
【０１６３】
照光ランプ基板７８５は、図７０および図７１に示すように、プリント基板の上面側に配設された照光ＬＥＤランプ７８６と、プリント基板の下面側に配設されたランプ用コネクタ７８７とを有して構成される。照光ランプ基板７８５は、ボタン収容部材７４０の基板収容部７５２に収容保持され、副制御装置８０と電気的に接続される。照光ＬＥＤランプ７８６は、ボタン収容部材７４０のランプ穴部７５５を介して第１ボタン収容部７４１の内部側に露出する。照光ランプ基板７８５は、副制御装置８０から送信されたランプ制御信号に応じて、照光ＬＥＤランプ７８６から第１ボタン収容部７４１に収容された第１操作部材７１０の内側を通って第１操作部材７１０のＭＡＸ‐ＢＥＴボタン部７１１を透過する光を発光する。ランプ用コネクタ７８７は、副制御装置８０に繋がるランプケーブル（図示せず）のコネクタと嵌合接続されるようになっている。
【０１６４】
ボタンカバー部材７９０は、図７０および図７１に示すように、樹脂材料を用いて蓋状に形成され、ボタン収容部材７４０の基板収容部７５２および検出片露出部７５７を覆う第１カバー部７９１と、接点ユニット部７６０の底部を覆う第２カバー部８０１とを有している。第１カバー部７９１の側部上側に、ボタン収容部材７４０の係止爪部７５８が係止可能な係止穴部７９２が形成される。第１カバー部７９１の側部下側に、補助カバー部材８１０の係止穴部８１１に係止可能な係止爪部７９７が形成される。ボタン収容部材７４０の基板収容部７５２を覆う第１カバー部７９１の後側部分に、基板収容部７５２に収容保持された照光ランプ基板７８５のランプ用コネクタ７８７を外部露出させるランプコネクタ露出穴７９４が形成される。ボタン収容部材７４０の検出片露出部７５７を覆う第１カバー部７９１の前側部分に、下方から操作検出センサ７８０が取り付けられるセンサ取付部７９５が形成される。センサ取付部７９５に、操作検出センサ７８０のセンサ固定穴部７８２と係合可能なセンサ固定ピン７９６と、補助カバー固定ネジ８１９が螺合されるカバー固定穴部７９８とが形成される。
【０１６５】
第２カバー部８０１の底部に、ボタンカバー固定ネジ７９９が挿通されるネジ挿通穴部８０２が形成される。なお、ボタンカバー部材７９０の各部に、各種銘版８０６，８０７が貼り付けられるようになっている。
【０１６６】
補助カバー部材８１０は、図７０および図７１に示すように、透明の樹脂材料を用いて板状に形成され、ボタンカバー部材７９０のセンサ取付部７９５を覆うようになっている。補助カバー部材８１０の側部に、ボタンカバー部材７９０の係止爪部７９７が係止可能な係止穴部８１１が形成される。補助カバー部材８１０の底部に、補助カバー固定ネジ８１９が挿通されるネジ挿通穴部８１２と、操作検出センサ７８０のセンサ用コネクタ７８１を外部露出させるセンサコネクタ露出穴８１３とが形成される。
【０１６７】
接点ユニット部７６０をボタン収容部材７４０に取り付けるには、まず、ボタン収容部材７４０のカバー固定ボス部７５９を、接点ユニット部７６０を構成する第１スイッチ基板収容部材７７１の開口部と、スイッチ部材７６６の切り欠き部と、スイッチ基板７６１の切り欠き部とに挿通させ、ボタン収容部材７４０の接点ユニット固定穴部７４７と、第１スイッチ基板収容部材７７１のネジ挿通穴部７７４とを位置整合させる。そして、接点ユニット固定ネジ７７９を第１スイッチ基板収容部材７７１のネジ挿通穴部７７４に挿通させてボタン収容部材７４０の接点ユニット固定穴部７４７にネジ固定する。このようにして、接点ユニット部７６０は、図７４に示すように、ボタン収容部材７４０における第２ボタン収容部７４３および第３ボタン収容部７４５の下側に取り付け固定される。
【０１６８】
ボタンカバー部材７９０をボタン収容部材７４０に取り付けるには、まず、図７５に示すように、位置決めピン７５３を利用して照光ランプ基板７８５を基板収容部７５２における所定の収容位置に配置する。次に、ボタン収容部材７４０の係止穴部７９２にボタン収容部材７４０の係止爪部７５８を係止させ、ボタン収容部材７４０のカバー固定ボス部７５９および接点ユニット部７６０ネジ挿通穴部７７８と、ボタンカバー部材７９０のネジ挿通穴部８０２とを位置整合させる。そして、ボタンカバー固定ネジ７９９をボタンカバー部材７９０のネジ挿通穴部８０２および接点ユニット部７６０ネジ挿通穴部７７８に挿通させて、ボタン収容部材７４０のカバー固定ボス部７５９にネジ固定する。このようにして、ボタンカバー部材７９０は、図７６に示すように、第１カバー部７９１がボタン収容部材７４０の基板収容部７５２および検出片露出部７５７を覆い、第２カバー部８０１が接点ユニット部７６０の底部（第２スイッチ基板収容部材７７６）を覆う状態で、ボタン収容部材７４０の下側に取り付け固定される。
【０１６９】
補助カバー部材８１０をボタンカバー部材７９０に取り付けるには、まず、図７６に示すように、ボタンカバー部材７９０のセンサ固定ピン７９６を操作検出センサ７８０のセンサ固定穴部７８２に係合させて、操作検出センサ７８０をボタンカバー部材７９０のセンサ取付部７９５に取り付ける。次に、補助カバー部材８１０の係止穴部８１１にボタンカバー部材７９０の係止爪部７９７を係止させ、ボタンカバー部材７９０のカバー固定穴部７９８と補助カバー部材８１０のネジ挿通穴部８１２とを位置整合させる。そして、補助カバー固定ネジ８１９を補助カバー部材８１０のネジ挿通穴部８１２に挿通させてボタンカバー部材７９０のカバー固定穴部７９８にネジ固定する。このようにして、補助カバー部材８１０は、図７７に示すように、ボタンカバー部材７９０のセンサ取付部７９５を覆う状態で、ボタンカバー部材７９０の下側に取り付けられる。
【０１７０】
このとき、照光ランプ基板７８５は、位置決めピン７５３等により位置決めされて、ボタンカバー部材７９０の第１カバー部７９１が近接する状態で、ボタン収容部材７４０の基板収容部７５２に収容保持される。なお、照光ランプ基板７８５のランプ用コネクタ７８７は、ボタンカバー部材７９０のランプコネクタ露出穴７９４を介して外部露出し、副制御装置８０に繋がるランプケーブル（図示せず）のコネクタと嵌合接続される。これにより、照光ランプ基板７８５は、ネジ等の比較的強固な固定部材を用いずに、ボタン収容部材７４０の基板収容部７５２に収容保持されるため、第１操作部材７１０のＭＡＸ‐ＢＥＴボタン部７１１に対する操作等に基づく、ランプ用コネクタ７８７に伝わる振動を緩和することができる。そのため、長期間の使用によるランプ用コネクタ７８７のコンタクト部の劣化（例えば、酸化によるコンタクト部の劣化）を防ぐことができ、照光ランプ基板７８５（ランプ用コネクタ７８７）の耐久性を向上させることが可能になる。
【０１７１】
また、操作検出センサ７８０は、センサ固定ピン７９６等により位置決めされて、補助カバー部材８１０が近接した状態で、ボタンカバー部材７９０のセンサ取付部７９５に取り付け保持される。なお、操作検出センサ７８０のセンサ用コネクタ７８１は、補助カバー部材８１０のセンサコネクタ露出穴８１３を介して外部露出し、主制御装置３００に繋がるセンサケーブル（図示せず）のコネクタと嵌合接続される。これにより、操作検出センサ７８０は、ネジ等の比較的強固な固定部材を用いずに、ボタンカバー部材７９０のセンサ取付部７９５に取り付け保持されるため、第１操作部材７１０のＭＡＸ‐ＢＥＴボタン部７１１に対する操作等に基づく、センサ用コネクタ７８１に伝わる振動を緩和することができる。そのため、長期間の使用によるセンサ用コネクタ７８１のコンタクト部の劣化（例えば、酸化によるコンタクト部の劣化）を防ぐことができ、操作検出センサ７８０（センサ用コネクタ７８１）の耐久性を向上させることが可能になる。
【０１７２】
以上のように構成されるＢＥＴスイッチユニット７００において、第１操作部材７１０のＭＡＸ‐ＢＥＴボタン部７１１が下方に押されると、第１操作部材７１０は、第１付勢バネ７１５の付勢力に抗して、非操作位置から操作位置に移動する。このとき、ＭＡＸ‐ＢＥＴボタン部７１１は、真っ直ぐな下方向ではなく、斜め下方向に押される場合がある。ＭＡＸ‐ＢＥＴボタン部７１１が左斜め下方向もしくは右斜め下方向に押されると、第１操作部材７１０のＭＡＸ‐ＢＥＴボタン部７１１と反対側の端部（下端部）に形成された爪部７１４の側端部が、ボタン収容部材７４０のガイドリブ７５６に当接し、第１操作部材７１０の摺接リブ７１２とボタン収容部材７４０の摺接ガイド部７４９との間で片当たりが生じるのを防止するようになっている。
【０１７３】
なお、第１操作部材７１０の摺接リブ７１２とボタン収容部材７４０の摺接ガイド部７４９との間に、微細な隙間が設けられるように設計され、第１操作部材７１０の爪部７１４とボタン収容部材７４０のガイドリブ７５６との間にも、微細な隙間が設けられるように設計されている。この場合において、ＭＡＸ‐ＢＥＴボタン部７１１を起点に第１操作部材７１０が左右方向に傾くと、円弧の長さと円弧の半径と円弧の中心角の関係から、第１操作部材７１０においてＭＡＸ‐ＢＥＴボタン部７１１から最も遠くに位置する爪部７１４が、中間部に位置する摺接リブ７１２よりも多く変位して（摺接リブ７１２よりも先に）ボタン収容部材７４０のガイドリブ７５６に当接することになる。
【０１７４】
そのため、本実施形態によれば、ＭＡＸ‐ＢＥＴボタン部７１１に対する斜め方向の押し操作が長期間にわたり行われても、第１操作部材７１０の爪部７１４またはボタン収容部材７４０のガイドリブ７５６が先に摩耗して、第１操作部材７１０の摺接リブ７１２またはボタン収容部材７４０の摺接ガイド部７４９が摩耗するのを遅らせることができ、ＢＥＴスイッチユニット７００の耐久性を向上させることが可能になる。また、ＭＡＸ‐ＢＥＴボタン部７１１が左斜め下方向もしくは右斜め下方向に押されると、第１操作部材７１０の下端部に形成された爪部７１４の側端部が、ボタン収容部材７４０のガイドリブ７５６に当接するため、第１操作部材７１０の爪部７１４と同じ側に形成された検出片部７１３が左右方向にずれて操作検出センサ７８０に当接し難くなり、操作検出センサ７８０等が損傷するのを防止することができる。
【０１７５】
上述の実施形態に基づいて、前方に開口部を有する本体部材と、前記本体部材に対して前記開口部を開閉可能に取り付けられた開閉部材と、前記本体部材の内部に収容されたリールユニットと、前記本体部材の内部に設けられ、前記本体部材の内部に収容された前記リールユニットが載置されるリールベースとを備え、前記リールユニットは、外周面上に所定の図柄が描かれた筒状のリールと、前記リールを回転可能に保持するリールブラケットと、前記リールブラケットに取り付けられて前記リールを回転駆動するリールモータと、前記リールブラケットを複数並べて保持して、前記リールベースに載置されるリール収容部（例えば、実施形態におけるリールケース２０１）とを有し、前記リール収容部は、前記リール収容部の後下部に後方に突出して形成された係合突起部を有し、前記リールベースは、前記リールベースに載置された前記リール収容部の前記係合突起部と係合する係合穴部を有し、前記係合突起部の下側に、前記リールベースの上面と対向する下面部が形成され、前記係合突起部の上側に、前記下面部に対して略平行に前後に延びる平行面部を有した上面部が形成された遊技機が得られる。従来、画像表示装置の仕様（画面サイズ等）が変わると、画像表示装置が取り付けられる前扉の裏側部分の厚さが変わるため、これに応じてリールユニットの前後方向の配置を変える必要がある。そのため、リールユニットの配置に応じてリールユニットを固定する手段を設計的に変更する必要があり、手間が掛かっていた。これにより、簡便な構成でリールユニットをリールベースに対して固定することができる。
【０１７６】
上述の実施形態に基づいて、前方に開口部を有する本体部材と、前記本体部材に対して前記開口部を開閉可能に取り付けられた開閉部材と、前記本体部材の内部に収容されたリールユニットとを備え、前記リールユニットは、外周面上に所定の図柄が描かれた筒状のリールと、前記リールを回転可能に保持するリールブラケットと、前記リールブラケットに取り付けられて前記リールを回転駆動するリールモータと、前記リールブラケットを複数並べて保持するリール収容部（例えば、実施形態におけるリールケース２０１）とを有し、前記リールブラケットの前下部に、前記リールブラケットに保持された前記リールの下部前方を覆うリールガードが取り付けられた遊技機が得られる。従来、前扉を開放して遊技機のメンテナンスを行う際、例えば、遊技メダルを補充する際に、遊技メダルを入れたジョッキがリールに当接して、リールが破損する可能性があった。これにより、リールの破損を防止することができる。
【０１７７】
上述の実施形態に基づいて、前方に開口部を有する本体部材と、前記本体部材に対して前記開口部を開閉可能に取り付けられた開閉部材と、前記本体部材の内部に収容されたリールユニットとを備え、前記リールユニットは、外周面上に所定の図柄が描かれた筒状のリールと、前記リールを回転可能に保持するリールブラケットと、前記リールブラケットに取り付けられて前記リールを回転駆動するリールモータと、前記リールブラケットを複数並べて保持するリール収容部（例えば、実施形態におけるリールケース２０１）とを有し、前記リールブラケットに、前記リールブラケットに取り付けられた電気部品と電気的に接続されるブラケット側コネクタが配設され、前記リール収容部に、前記ブラケット側コネクタと嵌合可能なケース側コネクタが配設され、前記リール収容部の上下に、前記リールブラケットを前記リール収容部の前方側から所定の保持位置まで案内するガイド部が形成され、前記リール収容部の前部に、前記リールブラケットの前部と係合可能な前側係合部が形成され、前記リール収容部の後部に、前記リールブラケットの後部と係合可能な後側係合部が形成され、前記リールブラケットが前記ガイド部に案内されて前記リール収容部の前方側から前記所定の保持位置まで移動すると、前記リールブラケットの前部と前記前側係合部とが係合し、前記リールブラケットの後部と前記後側係合部とが係合し、前記ブラケット側コネクタと前記ケース側コネクタとが嵌合して電気的に接続される遊技機が得られる。従来のリールユニットには、リールブラケットをリールケースに取り付ける際、リールブラケット側のコネクタとリールケース側のコネクタとが嵌合して電気的に接続されるように構成されたものがある。しかしながら、リールケースに対するリールブラケットの取り付け方向がずれると、各コネクタが互いにずれて嵌合できない場合があった。これにより、簡単な作業で確実にリールユニットを組み立てることができる。
【０１７８】
上述の実施形態に基づいて、前方に開口部を有する本体部材と、前記本体部材に対して前記開口部を開閉可能に取り付けられた開閉部材と、前記開閉部材に取り付けられて所定の演出を行う演出装置（例えば、実施形態における右側下サイドランプ１５ｂ）と、前記演出装置を前記開閉部材に対して前記開閉部材の後側から固定する固定部材（例えば、実施形態におけるサイドランプ固定ネジ１７）と、前記開閉部材の後側に配設されて所定の画像を画面に表示可能な画像表示装置とを備え、前記開閉部材は、前記開閉部材の後側に配設された前記画像表示装置の前記画面を前方から視認可能な視認部（例えば、実施形態におけるフロントカバー６０３）と、前記開閉部材の後側に設けられ、前記画像表示装置を、前記視認部の後側で前記画面が前方を向く保持位置で支持することが可能な表示装置支持部（例えば、実施形態における支持フレーム６５０の左支持部６５１ａおよび右支持部６５１ｂ）とを有し、前記画像表示装置を前記表示装置支持部に支持された状態のまま左右方向にずらすことで、前記画像表示装置が前記保持位置に位置する場合に被さる前記固定部材を前記開閉部材の後側から外すことが可能な遊技機が得られる。従来の遊技機では、故障等により演出装置を交換する際、演出装置を固定するネジ等の固定部品に対してアクセスできるように、開閉部材に取り付けられた他の部品の取り外しが必要になる場合があり、演出装置の交換に手間が掛かっていた。これにより、開閉部材に取り付けられた演出装置を容易に着脱交換することができる。
【０１７９】
上述の実施形態に基づいて、ベース部材（例えば、実施形態における第１ベース部材５１０）と、前記ベース部材に固定される固定部品（例えば、実施形態におけるブラケット部材５５０）と、前記固定部品を前記ベース部材に対して固定する固定具（例えば、実施形態におけるブラケット固定具５８０）とを備え、前記固定部品は、前記固定具が挿通される挿通穴部を有し、前記ベース部材は、前記挿通穴部と位置整合して形成され、前記挿通穴部に挿通された前記固定具が係合可能な固定穴部を有し、前記固定具は、前記挿通穴部と前記固定穴部とに挿通されて弾性変形により前記固定穴部と係合可能な係合部材と、前記係合部材と連結され、前記係合部材に対して、前記係合部材を弾性変形させて前記固定穴部と係合させることが可能な係合操作位置と、非係合操作位置とに相対移動可能な変位部材（例えば、実施形態における操作部材５９１）とを有し、前記係合部材は、前記係合操作位置に相対移動した前記変位部材に押圧されて弾性変形可能な複数の係止片部と、前記複数の係止片部の間に形成される複数の間隙部とを有し、前記挿通穴部の内周部に、前記係合部材が前記挿通穴部に挿通された状態で前記複数の間隙部に入り込んで前記係止片部に係止することが可能なリブが形成された遊技機が得られる。従来、固定具を用いる際、リールユニットや主制御装置等に設けられた穴部に仮止めした状態の固定具が抜け落ちて、固定具を紛失する可能性があった。これにより、固定具の紛失を防止することができる。
【０１８０】
上述の実施形態に基づいて、前方に開口部を有する本体部材と、前記本体部材に対して前記開口部を開閉可能に取り付けられた開閉部材と、遊技に関する制御を行う主制御基板と、前記主制御基板を収容する主基板ケースと、前記本体部材の側部内側に取り付けられたベース部材と、前記主制御基板を収容した前記主基板ケースを保持して前記ベース部材と結合されるブラケット部材とを備え、前記ブラケット部材は、前記ベース部材に重なって前記主基板ケースとともに前記本体部材の側部内側に配置されるケース保持位置と、前記主基板ケースとともに前記本体部材の側部内側から離れるケース揺動位置とに揺動可能であり、前記開閉部材が前記開口部を開いた状態で、前記ブラケット部材が前記ケース保持位置に位置すると、前記開口部から前記主基板ケースに収容された前記主制御基板の表面側を視認可能であり、前記ブラケット部材が前記ケース揺動位置に位置すると、前記開口部から前記主基板ケースに収容された前記主制御基板の裏面側を視認可能な遊技機が得られる。従来の遊技機では、主制御装置が本体筐体の背板部に取り付けられるため、主制御基板に対する不正行為の有無を確認する際、主制御基板の裏面側を確認するのが面倒であった。これにより、主制御基板に対する不正行為の有無を容易に確認することができる。
【０１８１】
上述の実施形態に基づいて、前方に開口部を有する本体部材と、前記本体部材に対して前記開口部を開閉可能に取り付けられた開閉部材と、前記開閉部材に取り付けられ、遊技者が操作可能な操作装置とを備え、前記操作装置は、外部に露出するボタン部を有し、外部から前記ボタン部を押す操作が行われる操作部材と、前記ボタン部を外部に露出させた状態で前記操作部材を収容保持するボタン収容部材とを備え、前記ボタン収容部材は、前記ボタン部を外部に露出させた状態で、前記ボタン部が押された操作状態の操作位置と、前記ボタン部が非操作状態の非操作位置とに、前記操作部材を移動可能に収容保持し、前記操作部材における前記ボタン部と反対側の端部に、前記ボタン収容部材に収容された前記操作部材が外部に抜けて出るのを規制する爪部が形成され、前記ボタン収容部材の内側に、前記操作部材の前記操作位置と前記非操作位置との間の移動方向に沿って延びて前記爪部の側部と対向するガイドリブが形成された遊技機が得られる。従来の遊技機では、長期間にわたり、操作部材のボタン部に対して斜め方向に押し操作が行われると、操作部材とボタン収容部材との摺動部分で片当たりが生じ、操作装置の耐久性が低下するおそれがあった。これにより、操作装置の耐久性を向上させることができる。
【０１８２】
＜変形例＞
上述の実施形態において、ブラケット固定具５８０によって第１ベース部材５１０に固定されるブラケット部材５５０の挿通穴部５６２に、ブラケット固定具５８０における係合片部５８３同士の間隙部５８４に入り込んで、係合片部５８３に係止することが可能なリブ５６３が形成されているが、これに限られるものではない。例えば、上側固定具１６８によってリールケース２０１の上側フランジ部２１１に固定されるリールブラケット１５１の上側ブラケット固定部１６１の上側固定具挿通穴部１６２に、上側固定具１６８における係合片部同士の間隙部に入り込んで、係合片部に係止することが可能なリブが形成されてもよい。また例えば、下側固定具１７８によってリールケース２０１の下側フランジ部２１６に固定されるリールブラケット１５１の下側ブラケット固定部１７１の下側固定具挿通穴部１７２に、下側固定具１７８における係合片部同士の間隙部に入り込んで、係合片部に係止することが可能なリブが形成されてもよい。なおこの場合、上側固定具１６８および下側固定具１７８は、ブラケット固定具５８０と同様に構成される。このように、メダル払出装置５０のホッパー５１や補助収納庫５３の上方に位置する挿通穴部にリブが形成されることで、挿通穴部に対して仮止めされた状態の固定具が抜け落ちて、メダル払出装置５０のホッパー５１や補助収納庫５３に入り込んで紛失に繋がるのを効果的に防止することができる。
【０１８３】
また、ブラケット部材５５０の挿通穴部５６２の内周部に、４つのリブ５６３が形成されているが、これに限られるものではない。例えば、挿通穴部５６２の内周部に、１つ、２つ、もしくは３つのリブ５６３が形成されてもよく、このリブ５６３は、ブラケット固定具５８０のいずれかの間隙部５８４に入り込んで、係合片部５８３に係止することができるように構成されていればよい。
【０１８４】
上述の実施形態において、主制御基板３１０を収容した主基板ケース４１０が、基板ケース取付機構５００を介して、筐体５におけるヒンジ機構６ａ〜６ｃと反対側の右側板５ｂの上部内面に取り付けられているが、これに限られるものではない。例えば、ヒンジ機構が右側板５ｂに設けられる場合、主基板ケース４１０が、上述の基板ケース取付機構５００と左右対称に構成された基板ケース取付機構を介して、筐体５におけるヒンジ機構と反対側の左側板５ａの上部内面に取り付けられてもよい。このように、主基板ケース４１０が、基板ケース取付機構を介して、筐体５におけるヒンジ機構と反対側の側板に取り付けられることで、前扉２を大きく開かなくても、主基板ケース４１０に収容された主制御基板３１０の表面側もしくは裏面側を容易に視認することができる。
【０１８５】
上述の実施形態において、画像表示装置６００を左右方向にずらすことにより、画像表示装置６００が被さっていたサイドランプ固定ネジ１７や装飾部材固定ネジ１８にアクセスできるように構成されているが、これに限られるものではい。例えば、左右の上部スピーカーユニット１２ａ，１２ｂを固定するための固定部材（ネジ等）に画像表示装置６００が被さる場合には、画像表示装置６００を左右方向にずらすことにより、これらの固定部材にアクセスすることも可能である。
【０１８６】
上述の実施形態において、第１操作部材７１０の胴部の外周部に、ボタン収容部材７４０の第１ボタン収容部７４１（摺接ガイド部７４９）に摺接可能な摺接リブ７１２が形成されているが、これに限られるものではない。例えば、第１操作部材７１０のＭＡＸ‐ＢＥＴボタン部７１１の外周部に、第１ボタン収容部７４１の上部に摺接可能な摺接リブが形成されてもよい。
【０１８７】
上述の実施形態において、遊技機の一例として、遊技メダルを使用するスロットマシン（回胴式遊技機）１を例示して説明したが、これに限定されるものではなく、例えば、遊技球を使用する回胴式遊技機や、遊技メダルを用いずに遊技可能な封入式の回胴式遊技機、雀球遊技機、アレンジボール機、パチンコ機、カジノマシンなどについても同様に適用し、同様の効果を得ることが可能である。
【符号の説明】
【０１８８】
１  スロットマシン（遊技機）
２  前扉（開閉部材）
５  筐体（本体部材）
１５ａ  左側下サイドランプ
１５ｂ  右側下サイドランプ
１６ａ  左側サイドランプ装飾部材
１６ｂ  右側サイドランプ装飾部材
１７  サイドランプ固定ネジ
１８  装飾部材固定ネジ
６０  リールベース
６５  後側固定部
６６  係合穴部
１００  リールユニット
１０１ａ〜１０１ｃ  第１〜第３リールモジュール
１０２ａ〜１０２ｃ  第１〜第３リール
１２１  リールモータ
１４１  リールガード
１５１  リールブラケット
１５６  リールガード取付部
１６１  上側ブラケット固定部
１６３  前側コネクタ取付部
１６４  前側ケーブル挿通穴部（１６４ｈ  ブラケット前側係合部）
１７１  下側ブラケット固定部
１８３  後側コネクタ取付部
１８６  ブラケット後側係合部
１９１  ブラケット側リール中継コネクタ
１９６  ブラケット側ランプ中継コネクタ
２０１  リールケース
２２１  上側フランジ部
２１６  下側フランジ部
２２１  上側ガイド部
２２２  下側ガイド部
２２３  ケース後側係合部
２４１  係合突起部
２４２  下面部
２４３  上面部
２４４  平行面部
２５１  リール中継基板
２５２  ケース側リール中継コネクタ
２６１  ランプ中継基板
２６２  ケース側ランプ中継コネクタ
３００  主制御装置
３１０  主制御基板
４１０  主基板ケース
５００  基板ケース取付機構
５１０  第１ベース部材
５２１  ベース側固定部
５２２  固定穴部
５３０  第２ベース部材
５５０  ブラケット部材
５６１  ブラケット側固定部
５６２  挿通穴部
５６３  リブ
５７０  ベースカバー部材
５８０  ブラケット固定具
５８１  係合部材
５８２  軸係合部
５８３  係合片部
５８４  間隙部
５９１  操作部材
６００  画像表示装置
６１０  液晶パネル
６１１  表示画面
６２０  パネル保持部材
６２２ａ  左揺動軸部
６２２ｂ  右揺動軸部
６５０  支持フレーム
６５１ａ  左支持部
６５１ｂ  右支持部
７００  ＢＥＴスイッチユニット
７１０  第１操作部材
７１１  ＭＡＸ‐ＢＥＴボタン部
７１４  爪部
７４０  ボタン収容部材
７４１  第１ボタン収容部
７５２  基板収容部
７５６  ガイドリブ
【図１】
2020028496.tif 000003
【図２】
2020028496.tif 000004
【図３】
2020028496.tif 000005
【図４】
2020028496.tif 000006
【図５】
2020028496.tif 000007
【図６】
2020028496.tif 000008
【図７】
2020028496.tif 000009
【図８】
2020028496.tif 000010
【図９】
2020028496.tif 000011
【図１０】
2020028496.tif 000012
【図１１】
2020028496.tif 000013
【図１２】
2020028496.tif 000014
【図１３】
2020028496.tif 000015
【図１４】
2020028496.tif 000016
【図１５】
2020028496.tif 000017
【図１６】
2020028496.tif 000018
【図１７】
2020028496.tif 000019
【図１８】
2020028496.tif 000020
【図１９】
2020028496.tif 000021
【図２０】
2020028496.tif 000022
【図２１】
2020028496.tif 000023
【図２２】
2020028496.tif 000024
【図２３】
2020028496.tif 000025
【図２４】
2020028496.tif 000026
【図２５】
2020028496.tif 000027
【図２６】
2020028496.tif 000028
【図２７】
2020028496.tif 000029
【図２８】
2020028496.tif 000030
【図２９】
2020028496.tif 000031
【図３０】
2020028496.tif 000032
【図３１】
2020028496.tif 000033
【図３２】
2020028496.tif 000034
【図３３】
2020028496.tif 000035
【図３４】
2020028496.tif 000036
【図３５】
2020028496.tif 000037
【図３６】
2020028496.tif 000038
【図３７】
2020028496.tif 000039
【図３８】
2020028496.tif 000040
【図３９】
2020028496.tif 000041
【図４０】
2020028496.tif 000042
【図４１】
2020028496.tif 000043
【図４２】
2020028496.tif 000044
【図４３】
2020028496.tif 000045
【図４４】
2020028496.tif 000046
【図４５】
2020028496.tif 000047
【図４６】
2020028496.tif 000048
【図４７】
2020028496.tif 000049
【図４８】
2020028496.tif 000050
【図４９】
2020028496.tif 000051
【図５０】
2020028496.tif 000052
【図５１】
2020028496.tif 000053
【図５２】
2020028496.tif 000054
【図５３】
2020028496.tif 000055
【図５４】
2020028496.tif 000056
【図５５】
2020028496.tif 000057
【図５６】
2020028496.tif 000058
【図５７】
2020028496.tif 000059
【図５８】
2020028496.tif 000060
【図５９】
2020028496.tif 000061
【図６０】
2020028496.tif 000062
【図６１】
2020028496.tif 000063
【図６２】
2020028496.tif 000064
【図６３】
2020028496.tif 000065
【図６４】
2020028496.tif 000066
【図６５】
2020028496.tif 000067
【図６６】
2020028496.tif 000068
【図６７】
2020028496.tif 000069
【図６８】
2020028496.tif 000070
【図６９】
2020028496.tif 000071
【図７０】
2020028496.tif 000072
【図７１】
2020028496.tif 000073
【図７２】
2020028496.tif 000074
【図７３】
2020028496.tif 000075
【図７４】
2020028496.tif 000076
【図７５】
2020028496.tif 000077
【図７６】
2020028496.tif 000078
【図７７】
2020028496.tif 000079